(57)【要約】【課題】  複数本のランプから入射され導光板から出射される光の輝度と色度の色度座標とのいずれも、ほぼ目標値のまま保持させることができるようにする。【解決手段】  バックライト装置１において、２つのランプ（ランプ１２−Ａとランプ１２−Ｂ）のそれぞれは、予め設定された２つの色度座標のそれぞれに対応する色度で発光するように製作されている。導光板１１は、それらのランプ入射する光をLCD２に出射する。インバータユニット１３は、それらのランプの総電流の実レベルを目標レベルに保つ制御と、導光板から出射される光の色度の色度座標の目標値と、現在の状況（例えば、総電流の目標レベル、或いは、温度計１４や計時装置１５の計測値等）とに応じて、それらのランプに対する総電流の配分比を可変する制御とを共に実行する。本発明は、液晶表示装置用のバックライト装置に適用可能である。【選択図】  図１
2005166583.tif 000002
【特許請求の範囲】
【請求項１】
予め設定された色度座標のそれぞれに対応する色度で発光するようにそれぞれ製作された複数のランプと、
複数の前記ランプのそれぞれから入射する光を、所定の方向に出射する導光板と、
複数の前記ランプのそれぞれを駆動し、複数の前記ランプの総電流の実レベルを目標レベルに保つ制御を実行するとともに、前記導光板から出射される前記光の色度の色度座標の目標値、並びに、前記総電流の前記目標レベル若しくは前記実レベルに応じて、複数の前記ランプのそれぞれに対する前記総電流の配分比を可変する制御を実行するランプ駆動装置と
を備えることを特徴とする照明装置。
【請求項２】
予め設定された色度座標のそれぞれに対応する色度で発光するようにそれぞれ製作された複数のランプと、複数の前記ランプのそれぞれから入射する光を、所定の方向に出射する導光板とを少なくとも備える照明装置において、複数の前記ランプのそれぞれを駆動し、複数の前記ランプの電流を制御する照明方法であって、
複数の前記ランプの総電流の実レベルを目標レベルに保つ制御を実行するとともに、前記導光板から出射される前記光の色度の色度座標の目標値、並びに、前記総電流の前記目標レベル若しくは前記実レベルに応じて、複数の前記ランプのそれぞれに対する前記総電流の配分比を可変する制御を実行する制御ステップ
を含むことを特徴とする照明方法。
【請求項３】
予め設定された色度座標のそれぞれに対応する色度で発光するようにそれぞれ製作された複数のランプと、複数の前記ランプのそれぞれから入射する光を、所定の方向に出射する導光板とを少なくとも備える照明装置に対して、複数の前記ランプのそれぞれを駆動し、複数の前記ランプの電流を制御するコンピュータに実行させるプログラムであって、
複数の前記ランプの総電流の実レベルを目標レベルに保つ制御を実行するとともに、前記導光板から出射される前記光の色度の色度座標の目標値、並びに、前記総電流の前記目標レベル若しくは前記実レベルに応じて、複数の前記ランプのそれぞれに対する前記総電流の配分比を可変する制御を実行する制御ステップ
を含むことを特徴とするプログラム。
【請求項４】
予め設定された色度座標のそれぞれに対応する色度で発光するようにそれぞれ製作された複数のランプと、
複数の前記ランプのそれぞれから入射する光を、所定の方向に出射する導光板と、
複数の前記ランプの動作時間を計時して、これまでに計時された前記動作時間の累計を累計動作時間として出力する計時装置と、
複数の前記ランプのそれぞれを駆動し、複数の前記ランプの総電流の実レベルを目標レベルに保つ制御を実行するとともに、前記導光板から出射される前記光の色度の色度座標の目標値、および、前記計時装置から出力された前記累計動作時間に応じて、複数の前記ランプのそれぞれに対する前記総電流の配分比を可変する制御を実行するランプ駆動装置と
を備えることを特徴とする照明装置。
【請求項５】
前記計時装置は、複数の前記ランプの前記動作時間を計時しているとき、複数の前記ランプの総電流の前記実レベルまたは前記目標レベルをさらに取得し、取得された前記総電流の前記実レベルまたは前記目標レベルに応じて、計時された前記動作時間の重み付けを行い、重み付けされた前記動作時間とこれまでの前記累計動作時間との加算時間を、現時点の前記累計動作時間として出力する
ことを特徴とする請求項４に記載の照明装置。
【請求項６】
予め設定された色度座標のそれぞれに対応する色度で発光するようにそれぞれ製作された複数のランプと、複数の前記ランプのそれぞれから入射する光を、所定の方向に出射する導光板と、複数の前記ランプの動作時間を計時して、これまでに計時された前記動作時間の累計を累計動作時間として出力する計時装置とを少なくとも備える照明装置において、複数の前記ランプのそれぞれを駆動し、複数の前記ランプの電流を制御する照明方法であって、
複数の前記ランプの総電流の実レベルを目標レベルに保つ制御を実行するとともに、前記導光板から出射される前記光の色度の色度座標の目標値、および、前記計時装置から出力された前記累計動作時間に応じて、複数の前記ランプのそれぞれに対する前記総電流の配分比を可変する制御を実行する制御ステップ
を含むことを特徴とする照明方法。
【請求項７】
予め設定された色度座標のそれぞれに対応する色度で発光するようにそれぞれ製作された複数のランプと、複数の前記ランプのそれぞれから入射する光を、所定の方向に出射する導光板と、複数の前記ランプの動作時間を計時して、これまでに計時された前記動作時間の累計を累計動作時間として出力する計時装置とを少なくとも備える照明装置に対して、複数の前記ランプのそれぞれを駆動し、複数の前記ランプの電流を制御するコンピュータに実行させるプログラムであって、
複数の前記ランプの総電流の実レベルを目標レベルに保つ制御を実行するとともに、前記導光板から出射される前記光の色度の色度座標の目標値、および、前記計時装置から出力された前記累計動作時間に応じて、複数の前記ランプのそれぞれに対する前記総電流の配分比を可変する制御を実行する制御ステップ
を含むことを特徴とするプログラム。
【請求項８】
予め設定された色度座標のそれぞれに対応する色度で発光するようにそれぞれ製作された複数のランプと、
複数の前記ランプのそれぞれから入射する光を、所定の方向に出射する導光板と、
複数の前記ランプのうちの少なくとも一部の近傍に配置され、その配置場所の周囲の温度を計測する温度計と、
複数の前記ランプのそれぞれを駆動し、複数の前記ランプの総電流の実レベルを目標レベルに保つ制御を実行するとともに、前記導光板から出射される前記光の色度の色度座標の目標値、および、前記温度計により計測された前記温度に応じて、複数の前記ランプのそれぞれに対する前記総電流の配分比を可変する制御を実行するランプ駆動装置と
を備えることを特徴とする照明装置。
【請求項９】
予め設定された色度座標のそれぞれに対応する色度で発光するようにそれぞれ製作された複数のランプと、複数の前記ランプのそれぞれから入射する光を、所定の方向に出射する導光板と、複数の前記ランプのうちの少なくとも一部の近傍に配置され、その配置場所の周囲の温度を計測する温度計とを少なくとも備える照明装置において、複数の前記ランプのそれぞれを駆動し、複数の前記ランプの電流を制御する照明方法であって、
複数の前記ランプの総電流の実レベルを目標レベルに保つ制御を実行するとともに、前記導光板から出射される前記光の色度の色度座標の目標値、および、前記温度計により計測された前記温度に応じて、複数の前記ランプのそれぞれに対する前記総電流の配分比を可変する制御を実行する制御ステップ
を含むことを特徴とする照明方法。
【請求項１０】
予め設定された色度座標のそれぞれに対応する色度で発光するようにそれぞれ製作された複数のランプと、複数の前記ランプのそれぞれから入射する光を、所定の方向に出射する導光板と、複数の前記ランプのうちの少なくとも一部の近傍に配置され、その配置場所の周囲の温度を計測する温度計とを少なくとも備える照明装置に対して、複数の前記ランプのそれぞれを駆動し、複数の前記ランプの電流を制御するコンピュータに実行させるプログラムであって、
複数の前記ランプの総電流の実レベルを目標レベルに保つ制御を実行するとともに、前記導光板から出射される前記光の色度の色度座標の目標値、および、前記温度計により計測された前記温度に応じて、複数の前記ランプのそれぞれに対する前記総電流の配分比を可変する制御を実行する制御ステップ
を含むことを特徴とするプログラム。
【請求項１１】
予め設定された色度座標のそれぞれに対応する色度で発光するようにそれぞれ製作された複数のランプと、
複数の前記ランプのそれぞれから入射する光を、所定の方向に出射する導光板と、
前記導光板から入射する光を利用して画像を表示する表示パネルと、
複数の前記ランプのそれぞれを駆動し、複数の前記ランプの総電流の実レベルを目標レベルに保つ制御を実行するとともに、前記導光板から出射される前記光の色度の色度座標の目標値、並びに、前記総電流の前記目標レベル若しくは前記実レベルに応じて、複数の前記ランプのそれぞれに対する前記総電流の配分比を可変する制御を実行するランプ駆動装置と
を備えることを特徴とする表示装置。
【請求項１２】
予め設定された色度座標のそれぞれに対応する色度で発光するようにそれぞれ製作された複数のランプと、複数の前記ランプのそれぞれから入射する光を、所定の方向に出射する導光板と、前記導光板から入射する光を利用して画像を表示する表示パネルとを少なくとも備える表示装置において、複数の前記ランプのそれぞれを駆動し、複数の前記ランプの電流を制御する表示方法であって、
複数の前記ランプの総電流の実レベルを目標レベルに保つ制御を実行するとともに、前記導光板から出射される前記光の色度の色度座標の目標値、並びに、前記総電流の前記目標レベル若しくは前記実レベルの変化に応じて、複数の前記ランプのそれぞれに対する前記総電流の配分比を可変する制御を実行する制御ステップ
を含むことを特徴とする表示方法。
【請求項１３】
予め設定された色度座標のそれぞれに対応する色度で発光するようにそれぞれ製作された複数のランプと、複数の前記ランプのそれぞれから入射する光を、所定の方向に出射する導光板と、前記導光板から入射する光を、その光を利用して画像を表示する表示パネルとを少なくとも備える表示装置に対して、複数の前記ランプのそれぞれを駆動し、複数の前記ランプの電流を制御するコンピュータに実行させるプログラムであって、
複数の前記ランプの総電流の実レベルを目標レベルに保つ制御を実行するとともに、前記導光板から出射される前記光の色度の色度座標の目標値、並びに、前記総電流の前記目標レベル若しくは前記実レベルに応じて、複数の前記ランプのそれぞれの電流の配分比を可変する制御を実行する制御ステップ
を含むことを特徴とするプログラム。
【請求項１４】
予め設定された色度座標のそれぞれに対応する色度で発光するようにそれぞれ製作された複数のランプと、
複数の前記ランプのそれぞれから入射する光を、所定の方向に出射する導光板と、
前記導光板から入射する光を利用して画像を表示する表示パネルと、
複数の前記ランプの動作時間を計時して、これまでに計時された前記動作時間の累計を累計動作時間として出力する計時装置と、
複数の前記ランプのそれぞれを駆動し、複数の前記ランプの総電流の実レベルを目標レベルに保つ制御を実行するとともに、前記導光板から出射される前記光の色度の色度座標の目標値、および、前記計時装置から出力された前記累計動作時間に応じて、複数の前記ランプのそれぞれに対する前記総電流の配分比を可変する制御を実行するランプ駆動装置と
を備えることを特徴とする表示装置。
【請求項１５】
前記計時装置は、複数の前記ランプの前記動作時間を計時しているとき、複数の前記ランプの総電流の前記実レベルまたは前記目標レベルをさらに取得し、取得された前記総電流の前記実レベルまたは前記目標レベルに応じて、計時された前記動作時間の重み付けを行い、重み付けされた前記動作時間とこれまでの前記累計動作時間との加算時間を、現時点の前記累計動作時間として出力する
ことを特徴とする請求項１４に記載の表示装置。
【請求項１６】
予め設定された色度座標のそれぞれに対応する色度で発光するようにそれぞれ製作された複数のランプと、複数の前記ランプのそれぞれから入射する光を、所定の方向に出射する導光板と、前記導光板から入射する光を利用して画像を表示する表示パネルと、複数の前記ランプの動作時間を計時して、これまでに計時された前記動作時間の累計を累計動作時間として出力する計時装置とを少なくとも備える表示装置において、複数の前記ランプのそれぞれを駆動し、複数の前記ランプの電流を制御する表示方法であって、
複数の前記ランプの総電流の実レベルを目標レベルに保つ制御を実行するとともに、前記導光板から出射される前記光の色度の色度座標の目標値、および、前記計時装置から出力された前記累計動作時間に応じて、複数の前記ランプのそれぞれに対する前記総電流の配分比を可変する制御を実行する制御ステップ
を含むことを特徴とする表示方法。
【請求項１７】
予め設定された色度座標のそれぞれに対応する色度で発光するようにそれぞれ製作された複数のランプと、複数の前記ランプのそれぞれから入射する光を、所定の方向に出射する導光板と、前記導光板から入射する光を利用して画像を表示する表示パネルと、複数の前記ランプの動作時間を計時して、これまでに計時された前記動作時間の累計を累計動作時間として出力する計時装置とを少なくとも備える表示装置に対して、複数の前記ランプのそれぞれを駆動し、複数の前記ランプの電流を制御するコンピュータに実行させるプログラムであって、
複数の前記ランプの総電流の実レベルを目標レベルに保つ制御を実行するとともに、前記導光板から出射される前記光の色度の色度座標の目標値、および、前記計時装置から出力された前記累計動作時間に応じて、複数の前記ランプのそれぞれに対する前記総電流の配分比を可変する制御を実行する制御ステップ
を含むことを特徴とするプログラム。
【請求項１８】
予め設定された色度座標のそれぞれに対応する色度で発光するようにそれぞれ製作された複数のランプと、
複数の前記ランプのそれぞれから入射する光を、所定の方向に出射する導光板と、
前記導光板から入射する光を利用して画像を表示する表示パネルと、
複数の前記ランプのうちの少なくとも一部の近傍に配置され、その配置場所の周囲の温度を計測する温度計と、
複数の前記ランプのそれぞれを駆動し、複数の前記ランプの総電流の実レベルを目標レベルに保つ制御を実行するとともに、前記導光板から出射される前記光の色度の色度座標の目標値、および、前記温度計により計測された前記温度に応じて、複数の前記ランプのそれぞれに対する前記総電流の配分比を可変する制御を実行するランプ駆動装置と
を備えることを特徴とする表示装置。
【請求項１９】
予め設定された色度座標のそれぞれに対応する色度で発光するようにそれぞれ製作された複数のランプと、複数の前記ランプのそれぞれから入射する光を、所定の方向に出射する導光板と、前記導光板から入射する光を利用して画像を表示する表示パネルと、複数の前記ランプのうちの少なくとも一部の近傍に配置され、その配置場所の周囲の温度を計測する温度計とを少なくとも備える表示装置において、複数の前記ランプのそれぞれを駆動し、複数の前記ランプの電流を制御する表示方法であって、
複数の前記ランプの総電流の実レベルを目標レベルに保つ制御を実行するとともに、前記導光板から出射される前記光の色度の色度座標の目標値、および、前記温度計により計測された前記温度に応じて、複数の前記ランプのそれぞれに対する前記総電流の配分比を可変する制御を実行する制御ステップ
を含むことを特徴とする表示方法。
【請求項２０】
予め設定された色度座標のそれぞれに対応する色度で発光するようにそれぞれ製作された複数のランプと、複数の前記ランプのそれぞれから入射する光を、所定の方向に出射する導光板と、前記導光板から入射する光を利用して画像を表示する表示パネルと、複数の前記ランプのうちの少なくとも一部の近傍に配置され、その配置場所の周囲の温度を計測する温度計とを少なくとも備える表示装置に対して、複数の前記ランプのそれぞれを駆動し、複数の前記ランプの電流を制御するコンピュータに実行させるプログラムであって、
複数の前記ランプの総電流の実レベルを目標レベルに保つ制御を実行するとともに、前記導光板から出射される前記光の色度の色度座標の目標値、および、前記温度計により計測された前記温度に応じて、複数の前記ランプのそれぞれに対する前記総電流の配分比を可変する制御を実行する制御ステップ
を含むことを特徴とするプログラム。
【発明の詳細な説明】
【技術分野】
【０００１】
本発明は、照明装置および方法、表示装置および方法、並びに、プログラムに関し、特に、状況が変化しても、複数本のランプから入射され導光板から出射される光の輝度と色度の色度座標とのいずれも、ほぼ目標値のまま保持させることができる、照明装置および方法、表示装置および方法、並びにプログラムに関する。
【背景技術】
【０００２】
近年、液晶表示装置が普及してきている。この液晶表示装置は、その液晶パネルに入射された光の透過率を画素毎に制御することで画像を表示している。従って、この液晶パネルに光を入射させるバックライト装置が、液晶パネルの裏面側に組み込まれていることが多い。
【０００３】
このバックライト装置の光源は、ノート型のパーソナルコンピュータ等では１本の冷陰極管（以下、ランプと称する）であることが多いのに対して、据え置き型のパーソナルコンピュータやテレビジョン受像機等では複数本のランプであることが多い（特許文献１乃至特許文献４参照）。
【０００４】
ところで、液晶表示装置においては、液晶パネルから出射される光の目標色度（色度座標の目標値）に対応して、バックライト装置のランプから放射される光の色度（色度座標）が決められていた。換言すると、例えば、液晶パネルから色温度が6500度や 9300度である色度の光を出すことが目標とされている場合（色度図における黒体曲線上の6500度や9300度に対応する色度（点）の色度座標が目標値とされている場合）、ランプは次のようにして製作されている。即ち、液晶パネルの液晶表面で目標の色度を出すために、ランプから液晶パネルまでの間での色減衰による色度変化等が考慮された上、それに対応した蛍光体が調合されてランプが製作されている。即ち、目標色度に応じて、その蛍光体の調合種類が設定されることになる。
【０００５】
このように、ランプからの光の色度は一般的に固定されている（そのように製作されている）。
【特許文献１】特開平１１−１７４９７６号公報
【特許文献２】特開平９−２９２６１４号公報
【特許文献３】特開平８−２８６１８４号公報
【特許文献４】特開２００１−３５１４２５号公報
【発明の開示】
【発明が解決しようとする課題】
【０００６】
しかしながら、実際には、液晶パネルの輝度調整（ランプからの光の輝度調整）等を目的としてランプの電流を変化させると、その電流の変化に応じて、ランプからの光の色度が変化してしまい（大電流になる程、色度座標において緑色方向に変化してしまい）、その結果、液晶パネルからの光の色度が目標色度からずれてしまう（色度が変化してしまう）という第１の課題があった。
【０００７】
さらに、ランプが点灯している累計時間（即ち、ランプに電流が流れた累計時間であって、以下、累計動作時間と称する）が長くなると、例えば、3000時間から10000時間程度になると、ランプ内の蛍光体の青系の劣化が生じ、ランプからの光の色度の色度座標が黄色方向に変化してしまい、その結果、液晶パネルからの光の色度が目標色度からずれてしまう（色度座標において、黄色方向にずれてしまう）という第２の課題があった。
【０００８】
さらにまた、ランプの電流自身に起因する発熱や、周囲の温度変化によってランプの温度が変化すると、ランプからの光の色度の色度座標が緑色方向に変化してしまい、その結果、液晶パネルからの光の色度が目標色度からずれてしまう（色度座標において、緑色方向にずれてしまう）という第３の課題があった。
【０００９】
なお、第１の課題が発生することについては、特許文献１乃至特許文献４のいずれにも開示は勿論示唆もなされていない。即ち、特許文献１乃至特許文献４のいずれの発明においても、ランプの電流変化に起因する色度変化については全く考慮されていない。従って、当然ながら、特許文献１乃至特許文献４の発明では、それらをたとえ組み合わせたとしても、第１の課題を解決することは困難である。
【００１０】
一方、第２の課題と第３の課題については、特許文献１と特許文献２には、開示は勿論示唆もなされていないものの、特許文献３と特許文献４には、その解決手法として、複数のランプのそれぞれの電流を個別に制御することで、バックライト装置から出射される光の色度を調整する手法が示唆されている。
【００１１】
しかしながら、特許文献３と特許文献４のいずれにおいても、このような漠然とした解決手法が単に示唆されているだけであり、第２の課題と第３の課題を解決するための具体的な手法、即ち、経年劣化や温度変化が生じた場合に、実際の色度を色度座標の目標値に保持させるために、如何にしてランプの電流を制御するのか、といった具体的な手法については開示されていない。
【００１２】
このため、特許文献３と特許文献４の発明では、第２の課題と第３の課題とのいずれも解決しているとは言い難い。従って、特許文献１乃至特許文献４の発明では、それらをたとえ組み合わせたとしても、第２の課題と第３の課題のいずれも解決することは困難である。
【００１３】
さらに、特許文献３と特許文献４の発明では、次のような新たな第４の課題が発生してしまう。即ち、第４の課題とは、複数のランプのそれぞれの電流を単に個別に制御するだけでは、バックライト装置から出射される光の実際の輝度がばらついてしまう（輝度を目標値で保持できない）という課題である。
【００１４】
以上の第１の課題乃至第４の課題を１つに要約すると、次のような課題になる。即ち、特許文献１乃至特許文献４等の従来の発明では、状況が変化した場合（輝度調整等によりランプの電流が変化した場合、ランプ内の蛍光体が経年劣化した場合、または、ランプの周囲の温度が変化した場合等）、複数本のランプから入射されて導光板から出射される光の輝度と色度の色度座標とのいずれも、目標値（固定値のままの場合もあるし、調整等を目的とした可変値の場合もある）に保持させることは困難であるという課題である。
【００１５】
本発明は、このような状況に鑑みてなされたものであり、状況が変化しても、複数本のランプから入射されて導光板から出射される光の輝度と色度の色度座標とのいずれも、ほぼ目標値に保持させることができるようにするものである。
【課題を解決するための手段】
【００１６】
本発明の第１の照明装置は、予め設定された色度座標のそれぞれに対応する色度で発光するようにそれぞれ製作された複数のランプと、複数のランプのそれぞれから入射する光を、所定の方向に出射する導光板と、複数のランプのそれぞれを駆動し、複数のランプの総電流の実レベルをほぼ目標レベルに保つ制御を実行するとともに、導光板から出射される光の色度の色度座標の目標値、並びに、総電流の目標レベル若しくは実レベル変化に応じて、複数のランプのそれぞれに対する総電流の配分比を可変する制御を実行するランプ駆動装置とを備えることを特徴とする。
【００１７】
本発明の第１の照明装置においては、予め設定された色度座標のそれぞれに対応する色度で発光するようにそれぞれ製作された複数のランプのそれぞれが駆動され、その結果、複数のランプのそれぞれから発せられた光が導光板に入射され、所定の方向に出射される。このとき、複数のランプの総電流の実レベルを目標レベルに保つ制御が実行されるとともに、導光板から出射される光の色度の色度座標の目標値、並びに、総電流の目標レベル若しくは実レベルに応じて、複数のランプのそれぞれに対する総電流の配分比を可変する制御が実行される。
【００１８】
本発明の第１の照明方法は、予め設定された色度座標のそれぞれに対応する色度で発光するようにそれぞれ製作された複数のランプと、複数のランプのそれぞれから入射する光を、所定の方向に出射する導光板とを少なくとも備える照明装置において、複数のランプのそれぞれを駆動し、複数のランプの電流を制御する照明方法であって、複数のランプの総電流の実レベルを目標レベルに保つ制御を実行するとともに、導光板から出射される光の色度の色度座標の目標値、並びに、総電流の目標レベル若しくは実レベルに応じて、複数のランプのそれぞれに対する総電流の配分比を可変する制御を実行する制御ステップを含むことを特徴とする。
【００１９】
本発明の第１のプログラムは、予め設定された色度座標のそれぞれに対応する色度で発光するようにそれぞれ製作された複数のランプと、複数のランプのそれぞれから入射する光を、所定の方向に出射する導光板とを少なくとも備える照明装置に対して、複数のランプのそれぞれを駆動し、複数のランプの電流を制御するコンピュータに実行させるプログラムであって、複数のランプの総電流の実レベルを目標レベルに保つ制御を実行するとともに、導光板から出射される光の色度の色度座標の目標値、並びに、総電流の目標レベル若しくは実レベルに応じて、複数のランプのそれぞれに対する総電流の配分比を可変する制御を実行する制御ステップを含むことを特徴とする。
【００２０】
本発明の第１の照明方法および第１のプログラムにおいては、予め設定された色度座標のそれぞれに対応する色度で発光するようにそれぞれ製作された複数のランプと、複数のランプのそれぞれから入射する光を、所定の方向に出射する導光板とを少なくとも備える照明装置において、複数のランプのそれぞれが駆動され、複数のランプの電流が制御される。詳細には、複数のランプの総電流の実レベルを目標レベルに保つ制御が実行されるとともに、導光板から出射される光の色度の色度座標の目標値、並びに、総電流の目標レベル若しくは実レベルに応じて、複数のランプのそれぞれに対する総電流の配分比を可変する制御が実行される。
【００２１】
本発明の第２の照明装置は、予め設定された色度座標のそれぞれに対応する色度で発光するようにそれぞれ製作された複数のランプと、複数のランプのそれぞれから入射する光を、所定の方向に出射する導光板と、複数のランプの動作時間を計時して、これまでに計時された動作時間の累計を累計動作時間として出力する計時装置と、複数のランプのそれぞれを駆動し、複数のランプの総電流の実レベルを目標レベルに保つ制御を実行するとともに、導光板から出射される光の色度の色度座標の目標値、および、計時装置から出力された累計動作時間に応じて、複数のランプのそれぞれに対する総電流の配分比を可変する制御を実行するランプ駆動装置とを備えることを特徴とする。
【００２２】
計時装置は、複数のランプの動作時間を計時しているとき、複数のランプの総電流の実レベルまたは目標レベルをさらに取得し、取得された総電流の実レベルまたは目標レベルに応じて、計時された動作時間の重み付けを行い、重み付けされた動作時間とこれまでの累計動作時間との加算時間を、現時点の累計動作時間として出力することができる。
【００２３】
本発明の第２の照明装置においては、予め設定された色度座標のそれぞれに対応する色度で発光するようにそれぞれ製作された複数のランプのそれぞれが駆動され、その結果、複数のランプのそれぞれから発せられた光が導光板に入射され、所定の方向に出射される。このとき、複数のランプの総電流の実レベルを目標レベルに保つ制御が実行されるとともに、導光板から出射される光の色度の色度座標の目標値、および、複数のランプの累計動作時間に応じて、複数のランプのそれぞれに対する総電流の配分比を可変する制御が実行される。
【００２４】
本発明の第２の照明方法は、予め設定された色度座標のそれぞれに対応する色度で発光するようにそれぞれ製作された複数のランプと、複数のランプのそれぞれから入射する光を、所定の方向に出射する導光板と、複数のランプの動作時間を計時して、これまでに計時された動作時間の累計を累計動作時間として出力する計時装置とを少なくとも備える照明装置において、複数のランプのそれぞれを駆動し、複数のランプの電流を制御する照明方法であって、複数のランプの総電流の実レベルを目標レベルに保つ制御を実行するとともに、導光板から出射される光の色度の色度座標の目標値、および、計時装置から出力された累計動作時間に応じて、複数のランプのそれぞれに対する総電流の配分比を可変する制御を実行する制御ステップとを含むことを特徴とする。
【００２５】
本発明の第２のプログラムは、予め設定された色度座標のそれぞれに対応する色度で発光するようにそれぞれ製作された複数のランプと、複数のランプのそれぞれから入射する光を、所定の方向に出射する導光板と、複数のランプの動作時間を計時して、これまでに計時された動作時間の累計を累計動作時間として出力する計時装置とを少なくとも備える照明装置に対して、複数のランプのそれぞれを駆動し、複数のランプの電流を制御するコンピュータに実行させるプログラムであって、複数のランプの総電流の実レベルを目標レベルに保つ制御を実行するとともに、導光板から出射される光の色度の色度座標の目標値、および、計時装置から出力された累計動作時間に応じて、複数のランプのそれぞれに対する総電流の配分比を可変する制御を実行する制御ステップとを含むことを特徴とする。
【００２６】
本発明の第２の照明方法および第２のプログラムにおいては、予め設定された色度座標のそれぞれに対応する色度で発光するようにそれぞれ製作された複数のランプと、複数のランプのそれぞれから入射する光を、所定の方向に出射する導光板と、複数のランプの動作時間を計時して、これまでに計時された動作時間の累計を累計動作時間として出力する計時装置とを少なくとも備える照明装置に対して、複数のランプのそれぞれが駆動され、複数のランプの電流が制御される。詳細には、複数のランプの総電流の実レベルを目標レベルに保つ制御が実行されるとともに、導光板から出射される光の色度の色度座標の目標値、および、計時装置から出力された累計動作時間に応じて、複数のランプのそれぞれに対する総電流の配分比を可変する制御が実行される。
【００２７】
本発明の第３の照明装置は、予め設定された色度座標のそれぞれに対応する色度で発光するようにそれぞれ製作された複数のランプと、複数のランプのそれぞれから入射する光を、所定の方向に出射する導光板と、複数のランプのうちの少なくとも一部の近傍に配置され、その配置場所の周囲の温度を計測する温度計と、複数のランプのそれぞれを駆動し、複数のランプの総電流の実レベルを目標レベルに保つ制御を実行するとともに、導光板から出射される光の色度の色度座標の目標値、および、温度計により計測された温度に応じて、複数のランプのそれぞれに対する総電流の配分比を可変する制御を実行するランプ駆動装置とを備えることを特徴とする。
【００２８】
本発明の第３の照明装置においては、予め設定された色度座標のそれぞれに対応する色度で発光するようにそれぞれ製作された複数のランプのそれぞれが駆動され、その結果、複数のランプのそれぞれから発せられた光が導光板に入射され、所定の方向に出射される。このとき、複数のランプの総電流の実レベルを目標レベルに保つ制御が実行されるとともに、導光板から出射される光の色度の色度座標の目標値、および、複数のランプのうちの少なくとも一部の近傍に配置され、その配置場所の周囲の温度を計測する温度計が計測した現在の温度に応じて、複数のランプのそれぞれに対する総電流の配分比を可変する制御が実行される。
【００２９】
本発明の第３の照明方法は、予め設定された色度座標のそれぞれに対応する色度で発光するようにそれぞれ製作された複数のランプと、複数のランプのそれぞれから入射する光を、所定の方向に出射する導光板と、複数のランプのうちの少なくとも一部の近傍に配置され、その配置場所の周囲の温度を計測する温度計とを少なくとも備える照明装置において、複数のランプのそれぞれを駆動し、複数のランプの電流を制御する照明方法であって、複数のランプの総電流の実レベルを目標レベルに保つ制御を実行するとともに、導光板から出射される光の色度の色度座標の目標値、および、温度計により計測された温度に応じて、複数のランプのそれぞれに対する総電流の配分比を可変する制御を実行する制御ステップを含むことを特徴とする。
【００３０】
本発明の第３のプログラムは、予め設定された色度座標のそれぞれに対応する色度で発光するようにそれぞれ製作された複数のランプと、複数のランプのそれぞれから入射する光を、所定の方向に出射する導光板と、複数のランプのうちの少なくとも一部の近傍に配置され、その配置場所の周囲の温度を計測する温度計とを少なくとも備える照明装置に対して、複数のランプのそれぞれを駆動し、複数のランプの電流を制御するコンピュータに実行させるプログラムであって、複数のランプの総電流の実レベルを目標レベルに保つ制御を実行するとともに、導光板から出射される光の色度の色度座標の目標値、および、温度計により計測された温度に応じて、複数のランプのそれぞれに対する総電流の配分比を可変する制御を実行する設定する制御ステップを含むことを特徴とする。
【００３１】
本発明の第３の照明方法およびプログラムにおいては、予め設定された色度座標のそれぞれに対応する色度で発光するようにそれぞれ製作された複数のランプと、複数のランプのそれぞれから入射する光を、所定の方向に出射する導光板と、複数のランプのうちの少なくとも一部の近傍に配置され、その配置場所の周囲の温度を計測する温度計とを少なくとも備える照明装置に対して、複数のランプのそれぞれが駆動され、複数のランプの電流が制御される。詳細には、複数のランプの総電流の実レベルを目標レベルに保つ制御が実行されるとともに、導光板から出射される光の色度の色度座標の目標値、および、温度計が計測した現在の温度に応じて、複数のランプのそれぞれに対する総電流の配分比を可変する制御が実行される。
【００３２】
本発明の第１の表示装置は、予め設定された色度座標のそれぞれに対応する色度で発光するようにそれぞれ製作された複数のランプと、複数のランプのそれぞれから入射する光を、所定の方向に出射する導光板と、導光板から入射する光を利用して画像を表示する表示パネルと、複数のランプのそれぞれを駆動し、複数のランプの総電流の実レベルを目標レベルに保つ制御を実行するとともに、導光板から出射される光の色度の色度座標の目標値、および、総電流の目標レベルに応じて、複数のランプのそれぞれに対する総電流の配分比を可変する制御を実行するランプ駆動装置とを備えることを特徴とする。
【００３３】
本発明の第１の表示装置においては、予め設定された色度座標のそれぞれに対応する色度で発光するようにそれぞれ製作された複数のランプのそれぞれが駆動され、その結果、複数のランプのそれぞれから発せられた光が導光板に入射されて所定の方向に出射され、その光を利用して画像が表示される。このとき、複数のランプの総電流の実レベルを目標レベルに保つ制御が実行されるとともに、導光板から出射される光の色度の色度座標の目標値、および、総電流の目標レベルに応じて、複数のランプのそれぞれに対する総電流の配分比を可変する制御が実行される。
【００３４】
本発明の第１の表示方法は、予め設定された色度座標のそれぞれに対応する色度で発光するようにそれぞれ製作された複数のランプと、複数のランプのそれぞれから入射する光を、所定の方向に出射する導光板と、導光板から入射する光を利用して画像を表示する表示パネルとを少なくとも備える表示装置において、複数のランプのそれぞれを駆動し、複数のランプの電流を制御する表示方法であって、複数のランプの総電流の実レベルを目標レベルに保つ制御を実行するとともに、導光板から出射される光の色度の色度座標の目標値、および、総電流の目標レベルに応じて、複数のランプのそれぞれに対する総電流の配分比を可変する制御を実行する制御ステップを含むことを特徴とする。
【００３５】
本発明の第４のプログラムは、予め設定された色度座標のそれぞれに対応する色度で発光するようにそれぞれ製作された複数のランプと、複数のランプのそれぞれから入射する光を、所定の方向に出射する導光板と、導光板から入射する光を利用して画像を表示する表示パネルとを少なくとも備える表示装置に対して、複数のランプのそれぞれを駆動し、複数のランプの電流を制御するコンピュータに実行させるプログラムであって、複数のランプの総電流の実レベルを目標レベルに保つ制御を実行するとともに、導光板から出射される光の色度の色度座標の目標値、および、総電流の目標レベルに応じて、複数のランプのそれぞれに対する総電流の配分比を可変する制御を実行する制御ステップを含むことを特徴とする。
【００３６】
本発明の第１の表示方法および第４のプログラムにおいては、予め設定された色度座標のそれぞれに対応する色度で発光するようにそれぞれ製作された複数のランプと、複数のランプのそれぞれから入射する光を、所定の方向に出射する導光板と、導光板から入射する光を利用して画像を表示する表示パネルとを少なくとも備える表示装置において、複数のランプのそれぞれが駆動され、複数のランプの電流が制御される。詳細には、複数のランプの総電流の実レベルを目標レベルに保つ制御が実行されるとともに、導光板から出射される光の色度の色度座標の目標値、および、総電流の目標レベルに応じて、複数のランプのそれぞれに対する総電流の配分比を可変する制御が実行される。
【００３７】
本発明の第２の表示装置は、予め設定された色度座標のそれぞれに対応する色度で発光するようにそれぞれ製作された複数のランプと、複数のランプのそれぞれから入射する光を、所定の方向に出射する導光板と、導光板から入射する光を利用して画像を表示する表示パネルと、複数のランプの動作時間を計時して、これまでに計時された動作時間の累計を累計動作時間として出力する計時装置と、複数のランプのそれぞれを駆動し、複数のランプの総電流の実レベルを目標レベルに保つ制御を実行するとともに、導光板から出射される光の色度の色度座標の目標値、および、計時装置から出力された累計動作時間に応じて、複数のランプのそれぞれに対する総電流の配分比を可変する制御を実行するランプ駆動装置とを備えることを特徴とする。
【００３８】
計時装置は、複数のランプの動作時間を計時しているとき、複数のランプの総電流の実レベルまたは目標レベルをさらに取得し、取得された総電流の実レベルまたは目標レベルに応じて、計時された動作時間の重み付けを行い、重み付けされた動作時間とこれまでの累計動作時間との加算時間を、現時点の累計動作時間として出力することができる。
【００３９】
本発明の第２の表示装置においては、予め設定された色度座標のそれぞれに対応する色度で発光するようにそれぞれ製作された複数のランプのそれぞれが駆動され、その結果、複数のランプのそれぞれから発せられた光が導光板に入射されて所定の方向に出射され、その光を利用して画像が表示される。このとき、複数のランプの総電流の実レベルを目標レベルに保つ制御が実行されるとともに、導光板から出射される光の色度の色度座標の目標値、および、複数のランプの累計動作時間に応じて、複数のランプのそれぞれに対する総電流の配分比を可変する制御が実行される。
【００４０】
本発明の第２の表示方法は、予め設定された色度座標のそれぞれに対応する色度で発光するようにそれぞれ製作された複数のランプと、複数のランプのそれぞれから入射する光を、所定の方向に出射する導光板と、導光板から入射する光を利用して画像を表示する表示パネルと、複数のランプの動作時間を計時して、これまでに計時された動作時間の累計を累計動作時間として出力する計時装置とを少なくとも備える表示装置において、複数のランプのそれぞれを駆動し、複数のランプの電流を制御する表示方法であって、複数のランプの総電流の実レベルを目標レベルに保つ制御を実行するとともに、導光板から出射される光の色度の色度座標の目標値、および、計時装置から出力された累計動作時間に応じて、複数のランプのそれぞれに対する総電流の配分比を可変する制御を実行する制御ステップとを含むことを特徴とする。
【００４１】
本発明の第５のプログラムは、予め設定された色度座標のそれぞれに対応する色度で発光するようにそれぞれ製作された複数のランプと、複数のランプのそれぞれから入射する光を、所定の方向に出射する導光板と、導光板から入射する光を利用して画像を表示する表示パネルと、複数のランプの動作時間を計時して、これまでに計時された動作時間の累計を累計動作時間として出力する計時装置とを少なくとも備える表示装置に対して、複数のランプのそれぞれを駆動し、複数のランプの電流を制御するコンピュータに実行させるプログラムであって、複数のランプの総電流の実レベルを目標レベルに保つ制御を実行するとともに、導光板から出射される光の色度の色度座標の目標値、および、計時装置から出力された累計動作時間に応じて、複数のランプのそれぞれに対する総電流の配分比を可変する制御を実行する制御ステップとを含むことを特徴とする。
【００４２】
本発明の第２の表示方法および第５のプログラムにおいては、予め設定された色度座標のそれぞれに対応する色度で発光するようにそれぞれ製作された複数のランプと、複数のランプのそれぞれから入射する光を、所定の方向に出射する導光板と、導光板から入射する光を利用して画像を表示する表示パネルと、複数のランプの動作時間を計時して、これまでに計時された動作時間の累計を累計動作時間として出力する計時装置とを少なくとも備える表示装置において、複数のランプのそれぞれが駆動され、複数のランプの電流が制御される。詳細には、複数のランプの総電流の実レベルを目標レベルに保つ制御が実行されるとともに、導光板から出射される光の色度の色度座標の目標値、および、計時装置から出力された累計動作時間に応じて、複数のランプのそれぞれに対する総電流の配分比を可変する制御が実行される。
【００４３】
本発明の第３の表示装置は、予め設定された色度座標のそれぞれに対応する色度で発光するようにそれぞれ製作された複数のランプと、複数のランプのそれぞれから入射する光を、所定の方向に出射する導光板と、導光板から入射する光を利用して画像を表示する表示パネルと、複数のランプのうちの少なくとも一部の近傍に配置され、その配置場所の周囲の温度を計測する温度計と、複数のランプのそれぞれを駆動し、複数のランプの総電流の実レベルを目標レベルに保つ制御を実行するとともに、導光板から出射される光の色度の色度座標の目標値、および、温度計により計測された温度に応じて、複数のランプのそれぞれに対する総電流の配分比を可変する制御を実行するランプ駆動装置とを備えることを特徴とする。
【００４４】
本発明の第３の表示装置においては、予め設定された色度座標のそれぞれに対応する色度で発光するようにそれぞれ製作された複数のランプのそれぞれが駆動され、その結果、複数のランプのそれぞれから発せられた光が導光板に入射されて所定の方向に出射され、その光を利用して画像が表示される。このとき、複数のランプの総電流の実レベルを目標レベルに保つ制御が実行されるとともに、導光板から出射される光の色度の色度座標の目標値、および、複数のランプのうちの少なくとも一部の近傍に配置され、その配置場所の周囲の温度を計測する温度計が計測した現在の温度に応じて、複数のランプのそれぞれに対する総電流の配分比を可変する制御が実行される。
【００４５】
本発明の第３の表示方法は、予め設定された色度座標のそれぞれに対応する色度で発光するようにそれぞれ製作された複数のランプと、複数のランプのそれぞれから入射する光を、所定の方向に出射する導光板と、導光板から入射する光を利用して画像を表示する表示パネルと、複数のランプのうちの少なくとも一部の近傍に配置され、その配置場所の周囲の温度を計測する温度計とを少なくとも備える表示装置において、複数のランプのそれぞれを駆動し、複数のランプの電流を制御する表示方法であって、複数のランプの総電流の実レベルを目標レベルに保つ制御を実行するとともに、導光板から出射される光の色度の色度座標の目標値、および、温度計により計測された温度に応じて、複数のランプのそれぞれに対する総電流の配分比を可変する制御を実行する制御ステップを含むことを特徴とする。
【００４６】
本発明の第６のプログラムは、予め設定された色度座標のそれぞれに対応する色度で発光するようにそれぞれ製作された複数のランプと、複数のランプのそれぞれから入射する光を、所定の方向に出射する導光板と、導光板から入射する光を利用して画像を表示する表示パネルと、複数のランプのうちの少なくとも一部の近傍に配置され、その配置場所の周囲の温度を計測する温度計とを少なくとも備える表示装置に対して、複数のランプのそれぞれを駆動し、複数のランプの電流を制御するコンピュータに実行させるプログラムであって、複数のランプの総電流の実レベルを目標レベルに保つ制御を実行するとともに、導光板から出射される光の色度の色度座標の目標値、および、温度計により計測された温度に応じて、複数のランプのそれぞれに対する総電流の配分比を可変する制御を実行する制御ステップを含むことを特徴とする。
【００４７】
本発明の第３の表示方法および第６のプログラムにおいては、予め設定された色度座標のそれぞれに対応する色度で発光するようにそれぞれ製作された複数のランプと、複数のランプのそれぞれから入射する光を、所定の方向に出射する導光板と、導光板から入射する光を利用して画像を表示する表示パネルと、複数のランプのうちの少なくとも一部の近傍に配置され、その配置場所の周囲の温度を計測する温度計とを少なくとも備える表示装置において、複数のランプのそれぞれが駆動され、複数のランプの電流が制御される。詳細には、複数のランプの総電流の実レベルを目標レベルに保つ制御が実行されるとともに、導光板から出射される光の色度の色度座標の目標値、および、温度計が計測した現在の温度に応じて、複数のランプのそれぞれに対する総電流の配分比を可変する制御が実行される。
【発明の効果】
【００４８】
以上のごとく、本発明によれば、予め設定された色度座標のそれぞれに対応する色度で発光するようにそれぞれ製作された複数のランプと、複数のランプのそれぞれから入射する光を、所定の方向に出射する導光板とを少なくとも備える照明装置や、その照明装置からの光を利用して画像を表示する表示装置を提供することができる。特に、状況が変化しても、複数本のランプから入射されて導光板から出射される光の輝度と色度の色度座標とのいずれも、ほぼ目標値（固定値のままの場合もあるし、調整等を目的とした可変値の場合もある）に保持させることが可能な照明装置や表示装置を提供することができる。
【発明を実施するための最良の形態】
【００４９】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００５０】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００５１】
本発明によれば、第１の照明装置が提供される。この第１の照明装置（例えば、図１等のバックライト装置１）は、予め設定された色度座標のそれぞれに対応する色度（例えば、図３の色度図における色度（点）３５や色度（点）３６、または、図１６の色度図における色度（点）１５１−Ａ乃至色度（点）１５１−Ｄ）で発光するようにそれぞれ製作された複数のランプ（例えば、図１等のランプ１２−Ａとランプ１２−Ｂ）と、複数の前記ランプのそれぞれから入射する光を、所定の方向に出射する導光板（例えば、図１等の導光板１１）と、複数のランプのそれぞれを駆動し、複数の前記ランプの総電流の実レベルを目標レベルに保つ制御を実行するとともに、導光板から出射される光の色度の色度座標の目標値、および、前記総電流の前記目標レベル若しくは前記実レベルに応じて、複数のランプのそれぞれに対する前記総電流の配分比を可変する制御を実行するランプ駆動装置（例えば、図２のインバータユニット１３）とを備えることを特徴とする。
【００５２】
本発明によれば、第１の照明方法が提供される。この第１の照明方法は、予め設定された色度座標のそれぞれに対応する色度で発光するようにそれぞれ製作された複数のランプ（例えば、図１等のランプ１２−Ａとランプ１２−Ｂ）と、複数の前記ランプのそれぞれから入射する光を、所定の方向に出射する導光板（例えば、図１等の導光板１１）とを少なくとも備える照明装置（例えば、図１等のバックライト装置１）において、複数の前記ランプのそれぞれを駆動し、複数の前記ランプの電流を制御する照明方法であって、複数の前記ランプの総電流の実レベルをほぼ目標レベルに保つ制御を実行するとともに、前記導光板から出射される前記光の色度の色度座標の目標値、および、前記総電流の目標レベルに応じて、複数の前記ランプのそれぞれに対する前記総電流の配分比を可変する制御を実行する制御ステップ（例えば、図６の電流指令制御処理）を含むことを特徴とする。
【００５３】
本発明によれば、上述した第１の照明方法に対応する第１のプログラムの提供も可能である。この第１のプログラムは、コンピュータ（例えば、図５のマイクロコンピュータ７１や図１７のCPU２０１）により実行される。
【００５４】
本発明によれば、第１の表示装置が提供される。この第１の表示装置は、上述した第１の照明装置と、導光板から入射する光を利用して画像を表示する表示パネル（例えば、図１のLCD２）とを備えることを特徴とする。
【００５５】
本発明によれば、第１の表示方法が提供される。この第１の表示方法は、対象が表示装置（例えば、図１のバックライト装置１とLCD２とを少なくとも備える表示装置）となることを除いて、上述した第１の照明方法と基本的に同様の方法とすることができる。
【００５６】
本発明によれば、上述した第１の表示方法に対応する第４のプログラム（第２のプログラムと第３のプログラムについては後述する）の提供も可能である。この第４のプログラムは、コンピュータ（例えば、図５のマイクロコンピュータ７１や図１７のCPU２０１）により実行される。
【００５７】
本発明によれば、第２の照明装置が提供される。この第２の照明装置（例えば、図１等のバックライト装置１）は、予め設定された色度座標のそれぞれに対応する色度（例えば、図３の色度図における色度（点）３５や色度（点）３６、または、図１６の色度図における色度（点）１５１−Ａ乃至色度（点）１５１−Ｄ）で発光するようにそれぞれ製作された複数のランプ（例えば、図１等のランプ１２−Ａとランプ１２−Ｂ）と、複数の前記ランプのそれぞれから入射する光を、所定の方向に出射する導光板（例えば、図１等の導光板１１）と、複数の前記ランプの動作時間を計時して、これまでに計時された前記動作時間の累計を累計動作時間として出力する計時装置（例えば、図１等の計時装置１５）と、複数の前記ランプのそれぞれを駆動し、複数の前記ランプの総電流の実レベルを目標レベルに保つ制御を実行するとともに、前記導光板から出射される前記光の色度の色度座標の目標値、および、前記計時装置から出力された前記累計動作時間に応じて、複数の前記ランプのそれぞれに対する前記総電流の配分比を可変する制御を実行するランプ駆動装置（例えば、図２のインバータユニット１３）とを備えることを特徴とする。
【００５８】
この第２の照明装置の前記計時装置は、複数の前記ランプの前記動作時間を計時しているとき、複数の前記ランプの総電流の前記実レベルまたは前記目標レベルをさらに取得し（例えば、図４参照）、取得された前記総電流の前記実レベルまたは前記目標レベルに応じて、計時された前記動作時間の重み付けを行い、重み付けされた前記動作時間とこれまでの前記累計動作時間との加算時間を、現時点の前記累計動作時間として出力することができる。
【００５９】
本発明によれば、第２の照明方法が提供される。この第２の照明方法は、予め設定された色度座標のそれぞれに対応する色度で発光するようにそれぞれ製作された複数のランプ（例えば、図１等のランプ１２−Ａとランプ１２−Ｂ）と、複数の前記ランプのそれぞれから入射する光を、所定の方向に出射する導光板（例えば、図１等の導光板１１）と、複数の前記ランプの動作時間を計時して、これまでに計時された前記動作時間の累計を累計動作時間として出力する計時装置（例えば、図１等の計時装置１５）とを少なくとも備える照明装置（例えば、図１等のバックライト装置１）において、複数の前記ランプのそれぞれを駆動し、複数の前記ランプの電流を制御する照明方法であって、複数の前記ランプの総電流の実レベルを目標レベルに保つ制御を実行するとともに、前記導光板から出射される前記光の色度の色度座標の目標値、および、前記計時装置から出力された前記累計動作時間に応じて、複数の前記ランプのそれぞれに対する前記総電流の配分比を可変する制御を実行する制御ステップ（例えば、図７の電流指令制御処理）とを含むことを特徴とする。
【００６０】
本発明によれば、上述した第２の照明方法に対応する第２のプログラムの提供も可能である。この第２のプログラムは、コンピュータ（例えば、図５のマイクロコンピュータ７１や図１７のCPU２０１）により実行される。
【００６１】
本発明によれば、第２の表示装置が提供される。この第２の表示装置は、上述した第２の照明装置と、導光板から入射する光を利用して画像を表示する表示パネル（例えば、図１のLCD２）とを備えることを特徴とする。
【００６２】
本発明によれば、第２の表示方法が提供される。この第２の表示方法は、対象が表示装置（例えば、図１のバックライト装置１とLCD２とを少なくとも備える表示装置）となることを除いて、上述した第２の照明方法と基本的に同様の方法とすることができる。
【００６３】
本発明によれば、上述した第２の表示方法に対応する第５のプログラム（第３のプログラムについては後述する）の提供も可能である。この第５のプログラムは、コンピュータ（例えば、図５のマイクロコンピュータ７１や図１７のCPU２０１）により実行される。
【００６４】
本発明によれば、第３の照明装置が提供される。この第３の照明装置（例えば、図１等のバックライト装置１）は、予め設定された色度座標のそれぞれに対応する色度（例えば、図３の色度図における色度（点）３５や色度（点）３６、または、図１６の色度図における色度（点）１５１−Ａ乃至色度（点）１５１−Ｄ）で発光するようにそれぞれ製作された複数のランプ（例えば、図１等のランプ１２−Ａとランプ１２−Ｂ）と、複数の前記ランプのそれぞれから入射する光を、所定の方向に出射する導光板（例えば、図１等の導光板１１）と、複数の前記ランプのうちの少なくとも一部の近傍に配置され、その配置場所の周囲の温度を計測する温度計（例えば、図１等の温度計１４）と、複数の前記ランプのそれぞれを駆動し、複数の前記ランプの総電流の実レベルを目標レベルに保つ制御を実行するとともに、前記導光板から出射される前記光の色度の色度座標の目標値、および、前記温度計により計測された前記温度に応じて、複数の前記ランプのそれぞれに対する前記総電流の配分比を可変する制御を実行するランプ駆動装置（例えば、図１等のインバータユニット１３）とを備えることを特徴とする。
【００６５】
本発明によれば、第３の照明方法が提供される。この第３の照明方法は、予め設定された色度座標のそれぞれに対応する色度で発光するようにそれぞれ製作された複数のランプ（例えば、図１等のランプ１２−Ａとランプ１２−Ｂ）と、複数の前記ランプのそれぞれから入射する光を、所定の方向に出射する導光板（例えば、図１等の導光板１１）と、複数の前記ランプのうちの少なくとも一部の近傍に配置され、その配置場所の周囲の温度を計測する温度計（例えば、図１等の温度計１４）とを少なくとも備える照明装置（例えば、図１等のバックライト装置１）において、複数の前記ランプのそれぞれを駆動し、複数の前記ランプの電流を制御する照明方法であって、複数の前記ランプの総電流の実レベルを目標レベルに保つ制御を実行するとともに、前記導光板から出射される前記光の色度の色度座標の目標値、および、前記温度計により計測された前記温度に応じて、複数の前記ランプのそれぞれに対する前記総電流の配分比を可変する制御を実行する制御ステップ（例えば、図８の電流指令制御処理）を含むことを特徴とする。
【００６６】
本発明によれば、上述した第３の照明方法に対応する第３のプログラムの提供も可能である。この第３のプログラムは、コンピュータ（例えば、図５のマイクロコンピュータ７１や図１７のCPU２０１）により実行される。
【００６７】
本発明によれば、第３の表示装置が提供される。この第３の表示装置は、上述した第３の照明装置と、導光板から入射する光を利用して画像を表示する表示パネル（例えば、図１のLCD２）とを備えることを特徴とする。
【００６８】
本発明によれば、第３の表示方法が提供される。この第３の表示方法は、対象が表示装置（例えば、図１のバックライト装置１とLCD２とを少なくとも備える表示装置）となることを除いて、上述した第３の照明方法と基本的に同様の方法とすることができる。
【００６９】
本発明によれば、上述した第３の表示方法に対応する第６のプログラムの提供も可能である。この第６のプログラムは、コンピュータ（例えば、図１７のCPU２０１）により実行される。
【００７０】
以下、図面を参照して、本発明の照明装置の実施の形態として、液晶表示装置用のバックライト装置について説明するとともに、本発明の表示装置の実施の形態として、液晶表示装置について説明する。
【００７１】
図１は、本実施の形態のバックライト装置、およびそれを搭載した本実施の形態の液晶表示装置の構成例を示す断面図である。
【００７２】
図１に示されるように、本実施の形態の液晶表示装置には、バックライト装置１とLCD(Liquid Crystal Display)２（なお、LCDとは、一般的に液晶表示装置全体等を指すこともあるが、ここでは、特に液晶パネルを指す）が設けられている。
【００７３】
バックライト装置１には、導光板１１、２本のランプ１２−Ａおよびランプ１２−Ｂ、インバータユニット１３、温度計１４、並びに、計時装置１５が設けられている。
【００７４】
導光板１１は、LCD２の裏面（LCD２の表示面が表面とされる）側に配置され、２本のランプ１２−Ａおよびランプ１２−Ｂから入射する光を、LCD２に向けて（所定の方向）出射する。
【００７５】
なお、導光板１１の表面（LCD２の裏面と対向する面）とLCD２の裏面との間には、拡散シートやプリズムシート等が配置されることもある。また、導光板１１の裏面側には、反射シート等が配置されることもある。
【００７６】
２本のランプ１２−Ａとランプ１２−Ｂとのそれぞれは、例えば、蛍光灯等で構成され、図１の例では、導光板１１の表面と垂直な４つの面のうちの所定の面１１−１（図１中右側の面１１−１）側に、その面１１−１と略平行に（面１１−１に沿って）配置されている。
【００７７】
インバータユニット１３は２つの出力を有しており、これらの２つの出力のうちの、第１の出力がランプ１２−Ａに接続され、また、第２の出力がランプ１２−Ｂに接続されている。即ち、インバータユニット１３は、ランプ１２−Ａとランプ１２−Ｂとのそれぞれを個別に駆動することができる。詳細には、インバータユニット１３は、ランプ１２−Ａとランプ１２−Ｂとのそれぞれに対して高周波の電圧を個別に印加することで、ランプ１２−Ａとランプ１２−Ｂとのそれぞれを個別に発光させる。
【００７８】
このとき、インバータユニット１３は、ランプ１２−Ａとランプ１２−Ｂとのそれぞれの電流を個別に制御することができる。この電流の制御方式自体は、特に限定されず、例えば、PWM(Pulse Width Modulation：パルス幅変調)制御方式や、アナログ電流制御方式等を適用することができる。なお、PWM制御方式とは、電流のオン状態とオフ状態とをスイッチングにより切換え、そのオン状態とオフ状態との比率（デューティ）を可変することにより、平均電流を制御する方式をいう。このPWM制御方式は、デューティ制御方式或いはパルス幅制御方式等と称されることもある。一方、アナログ電流制御方式とは、アナログ的に電流値の大小を制御する方式をいう。
【００７９】
ここで注目すべき点は、インバータユニット１３は、導光板１１から出射される光の実際の輝度を目標値でほぼ保つことを目的として、即ち、上述した第４の課題の解決を目的として、複数のランプ（図１の例では、ランプ１２−Ａとランプ１２−Ｂ）の電流の総和（以下、総電流と称する）の実レベルを目標レベル（目標輝度に対応するレベル）に保つ制御を実行するとともに、導光板１１から出射される光の実際の色度の色度座標を目標値でほぼ保つことを目的として、即ち、上述した第１の課題乃至第３の課題の解決を目的として、複数のランプのそれぞれに対する総電流の配分比（以下、電流比と称する）を可変する制御を実行する点である。
【００８０】
具体的には、例えば、上述した第１の課題の解決を目的として、即ち、輝度調整等により複数のランプの総電流の目標レベルが更新され、その結果、総電流の実レベルがたとえ変化した場合でも、導光板１１から出射される光の実際の色度の色度座標を目標値でほぼ保つことを目的として、複数のランプの総電流の現在の目標レベルまたは実レベルに応じて、複数のランプのそれぞれの電流比を可変制御する点である。即ち、総電流の目標レベルまたは実レベルの変化に応じて、複数のランプのそれぞれの電流比も変化させる点である。
【００８１】
また、例えば、上述した第２の課題の解決を目的として、即ち、複数のランプが経年劣化した場合でも、導光板１１から出射される光の実際の色度の色度座標を目標値でほぼ保つことを目的として、複数のランプの累計動作時間（後述する計時装置１５より供給される）に応じて、複数のランプのそれぞれの電流比を可変制御する点である。即ち、累計動作時間に応じて、複数のランプのそれぞれの電流比も変化させる点である。
【００８２】
また、例えば、上述した第３の課題の解決を目的として、即ち、複数のランプの周囲の温度がたとえ変化した場合でも、導光板１１から出射される光の実際の色度の色度座標を目標値でほぼ保つことを目的として、複数のランプの周囲の温度（後述する温度計１４より供給される）に応じて、複数のランプのそれぞれの電流比を可変制御する点である。即ち、周囲の温度変化に応じて、複数のランプのそれぞれの電流比も変化させる点である。
【００８３】
このような制御を行うインバータユニット１３には、図２に示されるように、ランプ１２−Ａの電流のレベルを指令する信号Ａ（以下、このような信号を、個別輝度制御信号Ａと称する）をランプ駆動部２２−Ａに入力させるとともに、ランプ１２−Ｂの電流のレベルを指令する信号Ｂ（以下、このような信号を個別輝度制御信号Ｂと称する）をランプ駆動部２２−Ｂに入力させる電流指令部２１が設けられている。電流指令部２１には、上述した第３の課題の解決が必要な場合には温度計１４の計測結果が入力され、また、上述した第２の課題の解決が必要な場合には計時装置１５とのそれぞれの計測結果が入力される。なお、温度計１４や計時装置１５の計測結果とその利用方法の詳細については後述する。
【００８４】
インバータユニット１３にはまた、ランプ１２−Ａを駆動し、電流指令部２１からの個別輝度制御信号Ａに基づいてランプ１２−Ａの電流を制御するランプ駆動部２２−Ａ、および、ランプ１２−Ｂを駆動し、電流指令部２１からの個別輝度制御信号Ｂに基づいてランプ１２−Ｂの電流を制御するランプ駆動部２２−Ｂが設けられている。
【００８５】
図１に戻り、温度計１４は、複数のランプ（ここでは、ランプ１２−Ａとランプ１２−Ｂ）のうちの少なくとも一部の近傍に配置され、その配置場所の周囲の温度を計測し、その計測結果（現在の温度）をインバータユニット１３（正確には、上述した図２に示されるように、電流指令部２１）に供給する。なお、温度計１４の計測開始とその終了の指示（トリガ）は、インバータユニット１３（電流指令部２１）から供給されてもよいし、後述する輝度指令（後述する図５参照）等を電流指令部２１に入力させる図示せぬ制御部から供給されてもよいし、或いは、それら以外から供給されてもよい。
【００８６】
計時装置１５は、複数のランプの動作時間（ここでは、ランプ１２−Ａとランプ１２−Ｂに電流が流れている時間）を計時して、これまでに計時された動作時間の累計（以下、累計動作時間と称する）を計測結果としてインバータユニット１３（正確には、上述した図２に示されるように、電流指令部２１）に出力する。なお、計時装置１５の計時動作開始とその終了の指示（トリガ）は、インバータユニット１３（電流指令部２１）から供給されてもよいし、後述する輝度指令（後述する図５参照）等を電流指令部２１に入力させる図示せぬ制御部から供給されてもよいし、或いは、それら以外から供給されてもよい。
【００８７】
この計時装置１５は、複数のランプの動作時間を計時しているとき、複数のランプの総電流の目標レベルまたは実レベルをさらに取得し、取得された総電流の目標レベルまたは実レベルに応じて、計時された動作時間の重み付けを行い、重み付けされた動作時間とこれまでの累計動作時間との加算時間を、現時点の累計動作時間（計測結果）としてインバータユニット１３に出力することができる。
【００８８】
インバータユニット１３は、複数のランプの経年劣化に起因する色度のずれを補正するための電流比の調整（上述した第２の課題の解決を目的とする電流比の調整）を行う場合、計時装置１５からこのようにして出力された計測結果、即ち、総電流のレベルに応じて重み付けされた累計動作時間を使用することで、単なる累計動作時間を使用したときと比較して、複数のランプの経年劣化の度合をより正確に反映させた電流比の調整を行うことが可能となる。
【００８９】
以上説明した様に、本実施の形態のバックライト装置１には、導光板１１、ランプ１２−Ａおよびランプ１２−Ｂ、温度計１４、並びに計時装置１５に加えてさらに、インバータユニット１３が設けられており、このインバータユニット１３には次のような手法が適用されている。即ち、インバータユニット１３に適用されている手法とは、ランプ１２−Ａとランプ１２−Ｂとのそれぞれを駆動し、ランプ１２−Ａとランプ１２−Ｂとの総電流の実レベルを目標レベルに保つ制御を実行するとともに、導光板１１から出射される光の色度の色度座標の目標値、並びに、現在の状況（ランプ１２−Ａとランプ１２−Ｂとに対する、その総電流の現在の目標レベル若しくは実レベル、その累計動作時間、或いは、その周囲の温度等）に応じて、ランプ１２−Ａとランプ１２−Ｂとの電流比（ランプ１２−Ａとランプ１２−Ｂとのそれぞれに対する総電流の配分比）を可変する制御を実行する、という手法である。
【００９０】
以下、図３の色度図を参照して、インバータユニット１３に適用されているこの手法についてさらに詳しく説明する。
【００９１】
図３の色度図において、曲線３１は、スペクトル色軌跡を示している。即ち、このスペクトル色軌跡３１上に、純粋な色を有するスペクトルの各単色光が配置される。スペクトル色軌跡３１の近傍に示される各数値は、各単色光のそれぞれの波長を示している。また、直線３２は純紫軌跡を示している。即ち、この純紫軌跡３２に、紫と赤の単色光の混合によって得られる、光スペクトルにはない赤紫色の純な光が配置される。従って、全ての色は、このスペクトル色軌跡３１と純紫軌跡３２とで囲まれる範囲内の点、即ち、色度図における座標(x,y)の点として表現することができる。この点が色度と称されており、色度の位置を特定する座標(x,y)が色度座標(x,y)と称されている。
【００９２】
また、曲線３３は、黒体曲線を示している。黒体曲線とは、黒体（全ての波長の光を完全に吸収する理想物体）を燃焼させた場合にその黒体から発する光の色度の軌跡を指す。なお、黒体曲線３３の近傍に示される各数値は、その数値が示す色度（点）の光を発している黒体の温度を指している。この温度は色温度と称されており、色温度により黒体曲線３３上の色度（点）が示される。即ち、黒体曲線３３上の色度（点）は色度座標で示すこともできるし、色温度で示すこともできる。
【００９３】
ところで、この色度図において、第１の色度座標の第１の色度（点）の第１の光と、第２の色度座標の第２の色度（点）の第２の光とが空間的に混合された場合、第１の光と第２の光とが混合された第３の光の第３の色度（点）は、第１の色度（点）と第２の色度（点）とで結ばれた直線上に位置することになる。ただし、その直線上の何れの場所に位置するかについては、第１の光の第１の光量（輝度）と、第２の光の第２の光量（輝度）とに依存する。従って、第１の光の第１の光量（輝度）と、第２の光の第２の光量（輝度）との比を変えることで、第３の色度（点）の位置（即ち、色度座標）を可変させる（調整する）ことができる。
【００９４】
即ち、第１の色度座標の第１の色度で第１の光を発するように製作されたランプ１２−Ａの光量（輝度）と、第２の色度座標の第２の色度で第２の光を発光するように製作されたランプ１２−Ｂの光量（輝度）との比を変えることで、導光板１１から出射される第３の光（即ち、LCD２から出射される第３の光）の第３の色度の色度座標を可変させる（調整する）ことができる。
【００９５】
なお、ランプ１２−Ａの第１の色度の第１の色度座標と、ランプ１２−Ｂの第２の色度の第２の色度座標とのそれぞれの設定手法は、特に限定されないが、図３に示されるように、所定の範囲３４内における黒体曲線３３上に設定する設定手法を適用すると好適である。即ち、色度３５または色度３６のうちのいずれか一方を第１の色度として設定し、他方を第２の色度として設定する設定手法を適用すると好適である。上述したように、液晶表示装置の目標色度は色温度（即ち、黒体曲線３３上の色度）で設定されることが多いためである。即ち、導光板１１の表面から出射される光の色度を色温度で調整する場合、色温度３５（黒体曲線３３上の色度３５）と、色温度３６（黒体曲線３３上の色度３６）とを用いる方が効率的だからである。
【００９６】
さらに、色温度３５と色温度３６とが属する範囲３４は、±0.015［UV］以内で設定されるとよい。色温度３５と色温度３６とを結ぶ直線が黒体線３３とほぼ一致するからである
【００９７】
ところで、ランプ１２−Ａの光量（輝度）は、そのランプ１２−Ａの電流を制御する（変化させる）ことにより調整する（変化させる）ことができる。同様に、ランプ１２−Ｂの光量（輝度）は、そのランプ１２−Ｂの電流を制御することにより調整することができる。
【００９８】
さらに、ランプ１２−Ａの光量（輝度）とランプ１２−Ｂの光量（輝度）との総和を変えなければ（その他、周囲の温度変化や経年劣化等が生じなければ）、導光板１１からの光（LCD２からの光）の輝度、即ち、最終的な輝度は一定に保たれる。
【００９９】
従って、ランプ１２−Ａとランプ１２−Ｂとの総電流を目標レベル（導光板１１からの光の輝度の目標値に対応するレベル）にほぼ保ったまま、目標色度（導光板１１からの光の色度の色度座標の目標値）に応じてランプ１２−Ａとランプ１２−Ｂとの電流比を可変する手法をインバータユニット１３に適用することで、導光板１１からの光の輝度を目標値にほぼ保ったまま、その光の色度を調整することができる。即ち、上述した第４の課題（特許文献３や特許文献４の発明が有している課題）を解決することができる。
【０１００】
ところが、たとえ、インバータユニット１３がこのような手法を適用して色度を調整したとしても、例えば、ランプ１２−Ａとランプ１２−Ｂとの総電流の実レベル（目標レベル）が調整時点から変化すると、ランプ１２−Ａからの第１の光の第１の色度は、設定された第１の色度座標とは異なる第４の色度座標に変化してしまう。同様に、ランプ１２−Ｂからの第２の光の第の色度も、設定された第２の色度座標とは異なる第５の色度座標に変化してしまう。その結果、第１の光と第２の光とが混合された第３の光、即ち、導光板１１から出射される第３の光の第３の色度の色度座標も、第１の色度座標の第１の色度と第２の色度座標の第２の色度とで結ばれた第１の直線上から、第４の色度座標の第１の色度と第５の色度座標の第２の色度とで結ばれた第２の直線上に変化してしまう。
【０１０１】
また、第１の直線と第２の直線とが仮に同一の直線となった場合であっても、第１の色度座標の第１の色度から第２の色度座標の第２の色度までの距離と、第４の色度座標の第１の色度から第５の色度座標の第２の色度までの距離とは異なることから、第１の光と第２の光との光量（輝度）の比、即ち、ランプ１２−Ａとランプ１２−Ｂとの電流比が変化しなければ、結局、第１の光と第２の光が混合された第３の光の第３の色度の色度座標も変化してしまう。
【０１０２】
このように、ランプ１２−Ａとランプ１２−Ｂとの総電流の実レベル（目標レベル）が調整時点から変化すると、導光板１１からの光（第３の光）の実際の色度がずれてしまう、といった上述した第１の課題が発生してしまう。
【０１０３】
そこで、第１の課題の解決を目的として、本実施の形態においては、ランプ１２−Ａとランプ１２−Ｂとの総電流を目標レベル（導光板１１からの光の輝度の目標値に対応するレベル）に保つ制御を実行しながら、目標色度（導光板１１からの光の色度の色度座標の目標値）に加えてさらに、ランプ１２−Ａとランプ１２−Ｂとの総電流の目標レベルまたは実レベルも考慮して電流比を可変する制御を実行する手法が、インバータユニット１３に適用されている。ただし、以下、説明の簡略上、第１の課題の解決を目的とするこの手法のうちの、目標色度と総電流の目標レベルとに基づいて電流比を可変制御する手法が、インバータユニット１３に適用されているとする。
【０１０４】
また、例えば、調整時点から長時間が経過すると（ランプ１２−Ａとランプ１２−Ｂとを長時間使用し続けていると）、ランプ１２−Ａとランプ１２−Ｂとの経年劣化が生じ、その結果、総電流のレベルが変化した場合と同様の理由（上述した理由）で、導光板１１からの光の実際の色度がずれてしまう、といった上述した第２の課題が発生してしまう。
【０１０５】
そこで、第２の課題の解決を目的として、本実施の形態においては、ランプ１２−Ａとランプ１２−Ｂとの総電流を目標レベルに保つ制御を実行しながら、目標色度に加えてさらに、ランプ１２−Ａとランプ１２−Ｂとの累計動作時間も考慮して電流比を可変する制御を実行する手法が、インバータユニット１３に適用されている。
【０１０６】
また、例えば、ランプ１２−Ａとランプ１２−Ｂとの周囲の温度が調整時点から変化すると、総電流のレベルが変化した場合と同様の理由（上述した理由）で、導光板１１からの光の実際の色度がずれてしまう、といった上述した第３の課題が発生してしまう。
【０１０７】
そこで、第３の課題の解決を目的として、本実施の形態においては、ランプ１２−Ａとランプ１２−Ｂとの総電流を目標レベルに保つ制御を実行しながら、目標色度に加えてさらに、ランプ１２−Ａとランプ１２−Ｂとの周囲の温度も考慮して電流比を可変する制御を実行する手法が、インバータユニット１３に適用されている。
【０１０８】
以上、第１の課題（および第４の課題）、第２の課題（および第４の課題）、並びに、第３の課題（および第４の課題）のそれぞれの解決手法についてその順番に個別に説明したが、これらの課題を同時に解決したい場合、上述した各解決手法を単に組み合わせればよい。即ち、例えば、第１の課題と第２の課題（および第４の課題）を同時に解決したい場合、インバータユニット１３は、目標色度、ランプ１２−Ａとランプ１２−Ｂとの総電流の目標レベル、および、ランプ１２−Ａとランプ１２−Ｂとの累計動作時間のいずれも考慮して電流比を設定すればよい。その他の課題の組み合わせについても同様である。
【０１０９】
このような各課題を解決可能な手法が適用されたインバータユニット１３の詳細な構成例が図４に示されている。そこで、以下、図４を参照して、インバータユニット１３の構成の詳細について説明する。
【０１１０】
図４のインバータユニット１３において、ランプ駆動部２２−Ａには、制御回路４１−Ａ、トランス４２−Ａ、検出抵抗４３−Ａ、および、帰還回路４４−Ａが設けられている。
【０１１１】
制御回路４１−Ａは、入力電源４５から印加された直流電圧を、高周波の交流電圧に変換してトランス４２−Ａの図示せぬ１次側に印加する。このとき、電流指令部２１からは上述した個別輝度制御信号Ａが入力されるとともに、帰還回路４４−Ａからはランプ１２−Ａの実電流に対応する信号が入力されるので、制御回路４１−Ａは、個別輝度制御信号Ａ（ランプ１２−Ａの電流の指令値に相当）と、帰還回路４４−Ａから入力された信号（ランプ１２−Ａの電流の実績値に相当）との差分（誤差）に基づいて、個別輝度制御信号Ａに対応するレベルの電流がランプ１２−Ａにほぼ安定して流れるように、トランス４２−Ａに供給する高周波の交流電圧のレベルを制御する。即ち、制御回路４１−Ａは、フィードバック制御を利用して、ランプ１２−Ａの電流を制御する。
【０１１２】
トランス４２−Ａは、制御回路４１−Ａよりその１次側に印加された高周波の交流電圧を昇圧し、図示せぬその２次側よりランプ１２−Ａに印加する。
【０１１３】
帰還回路４４−Ａは、ランプ１２−Ａの実電流を、検出抵抗４３−Ａの両端間の電圧として検出し、必要に応じてさらにそのレベルを変換して、制御回路４１−Ａに供給する。
【０１１４】
ランプ駆動部２２−Ｂにも、ランプ駆動部２２−Ａにおける制御回路４１−Ａ乃至帰還回路４４−Ａのそれぞれと全く同様の機能と構成を有する、制御回路４１−Ｂ乃至帰還回路４４−Ｂのそれぞれが設けられている。なお、制御回路４１−Ｂ乃至帰還回路４４−Ｂのそれぞれの説明は、制御回路４１−Ａ乃至帰還回路４４−Ａのそれぞれの説明と重複することになるので、ここでは省略する。
【０１１５】
以上、図４を参照して、インバータユニット１３のうちの、ランプ駆動部２２−Ａとランプ駆動部２２−Ｂとの構成の詳細について説明した。
【０１１６】
次に、図５を参照して、インバータユニット１３のうちの、残りの電流指令部２１の構成の詳細について説明する。即ち、図５は、電流指令部２１の実施の一形態を示すブロック図である。
【０１１７】
ところで、従来のインバータユニットにおいても、導光板からの光の輝度を調整する目的（２つのランプ毎の個別の輝度調整の目的ではない）で２つのランプの電流制御が行われていた。ただし、従来においては、輝度制御信号と称される電圧信号、例えば、０［V］（最小輝度のレベル）乃至３［V］（最大輝度のレベル）の範囲で可変する輝度制御信号（必要に応じてレベルが調整されることもある）が、２つのランプのランプ駆動部のそれぞれに電流指令として分配されていた。即ち、２つのランプに対する電流指令（個別輝度制御信号Ａと個別輝度制御信号Ｂとのそれぞれに対応する従来の信号）は常に同一の指令とされており、２つのランプの電流は常に同レベルとなるように制御されていた。
【０１１８】
このため、従来の電流指令部は、例えば、この輝度制御信号を入力する入力端子（以下、輝度制御信号入力端子と称する）と、２つの同一の指令（同一レベルの２つの電圧信号であって、ここでいう個別輝度制御信号Ａと個別輝度制御信号Ｂとのそれぞれに対応する従来の信号）を生成する生成部と、生成部により生成された２つの指令を出力する出力端子（以下、輝度制御信号出力端子と称する）で構成されていた。
【０１１９】
なお、上述したように、輝度制御信号は、導光板１１からの光の輝度の目標値を示す指令であると言える。そこで、以下、輝度制御信号を輝度指令と称する。また、導光板１１からの光の輝度の調整は、上述したように、ランプ１２−Ａとランプ１２−Ｂとの総電流の調整（制御）により行われるので、輝度制御信号（輝度指令）は結局、ランプ１２−Ａとランプ１２−Ｂとの総電流の目標レベルを決定する（指示する）信号であるとも言える。そこで、以下、輝度制御信号（輝度指令）を総電流指令とも適宜称する。
【０１２０】
本実施の形態の電流指令部２１においても、導光板１１からの光の輝度を目標値に保つ目的があるため、従来の輝度指令（０［V］乃至３［V］の範囲で可変される電圧信号）が図示せぬ外部の制御部より入力されるとする。従って、図５に示されるように、本実施の形態の電流指令部２１においても、従来の電流指令部と同様に、輝度制御信号入力端子５１、並びに、輝度制御信号出力端子５４、および、輝度制御信号出力端子５５が設けられている。
【０１２１】
ただし、本実施の形態においては、上述したように、電流指令部２１より出力される２つの個別輝度制御信号Ａと個別輝度制御信号Ｂとのそれぞれのレベルは同一ではなく、ランプ１２−Ａとランプ１２−Ｂとの電流比に応じて可変される（ただし、電流比があえて１：１に設定された場合等において、同一レベルとなることもある）。そこで、本実施の形態の電流指令部２１には、輝度指令（総電流指令）、および、後述する色度指令（ベース電流比指令）に基づいて、ランプ１２−Ａとランプ１２−Ｂとの電流比を設定し、その電流比に基づいて個別輝度制御信号Ａと個別輝度制御信号Ｂとを生成する機能を有する生成部が必要となる。
【０１２２】
さらに、この生成部は、上述した第１の課題を解決する必要がある場合には輝度指令（総電流指令）の大きさ（ランプ１２−Ａとランプ１２−Ｂとの総電流の目標レベル）を、上述した第２の課題を解決する必要がある場合には計時装置１５の計測値（ランプ１２−Ａとランプ１２−Ｂとの累計動作時間）を、上述した第３の課題を解決する必要がある場合には温度計１４の計測値（ランプ１２−Ａとランプ１２−Ｂとの周囲の温度）を、それぞれ考慮してランプ１２−Ａとランプ１２−Ｂとの電流比を設定する（補正する）機能を有する必要がある。
【０１２３】
換言すると、この生成部は、このような機能を有すればその形態は特に限定されず、様々な形態を取ることができる。具体的には、例えば、図５の電流指令部２１の生成部（輝度制御信号入力端子５１、輝度制御信号出力端子５４、および、輝度制御信号出力端子５５を除く部分）として、同図に示されるように、マイクロコンピュータ７１が適用されている。
【０１２４】
このマイクロコンピュータ７１には、図示せぬ外部の制御部等から、０[V]乃至３［V］の範囲で可変する上述した輝度指令（総電流指令）が輝度制御信号入力端子５１を介して入力されるとともに、色度指令が入力される。
【０１２５】
なお、ここでは、色度指令とは次の信号を指す。即ち、上述したように、導光板１１からの光の色度（LCD２からの光の色度）は、ランプ１２−Ａとランプ１２−Ｂとの電流比を可変することで調整可能である。従って、色度指令とは、基準状態におけるランプ１２−Ａとランプ１２−Ｂとの電流比（以下、ベース電流比と称する）の設定に必要な信号を指す。なお、このように、色度指令はベース電流比の設定指令であるとも言えるので、以下、色度指令をベース電流比指令とも適宜称する。
【０１２６】
ただし、基準状態とは、例えば、ランプ１２−Ａとランプ１２−Ｂとの周囲の温度（温度計１４の計測値）が予め設定された温度（例えば、２０℃等）である状態、ランプ１２−Ａとランプ１２−Ｂとの総電流の目標レベルが予め設定されたレベルである状態（例えば、輝度指令が３[V]である状態）、および、ランプ１２−Ａとランプ１２−Ｂとの累計動作時間（計時装置１５の計測値）が予め定められた時間（例えば、０時間）である状態、といった３つの状態が揃った状態をここでは指す。
【０１２７】
詳細には、例えば、色度指令（ベース電流比指令）も０[V]乃至３［V］の範囲の電圧信号とされ、その範囲の中心（即ち、１．５[V]）の電圧信号が、基準状態において、ランプ１２−Ａとランプ１２−Ｂとの電流をほぼ等しくする指令（ベース電流比をほぼ１：１とする指令）を示している。また、０［V］乃至１．５［V］未満の範囲の電圧信号は、基準状態において、ランプ１２−Ａに大きな電流（高レベルの電流）を流し、ランプ１２−Ｂに小さい電流（低レベルの電流）を流す指令を示している。一方、１．５［V］乃至３［V］の範囲（１．５［V］除く）の電圧信号は、基準状態において、ランプ１２−Ａに小さな電流（低レベルの電流）を流し、ランプ１２−Ｂに大きな電流（高レベルの電流）を流す指令を示している。
【０１２８】
具体的には、例えば、いま、基準状態であるとする。即ち、３［V］の輝度指令（総電流指令）が輝度制御信号入力端子５１を介してマイクロコンピュータ７１に入力され、そのときの温度計１４の計測結果（ランプ１２−Ａとランプ１２−Ｂとの周囲の温度）が２０℃であり、そのときの計時装置１５の計測結果（ランプ１２−Ａとランプ１２−Ｂとの累計動作時間）が０時間であったとする。
【０１２９】
この場合、例えば、１．５[V]の色度指令（ベース電流比指令）が入力されると、マイクロコンピュータ７１は、個別輝度制御信号Ａと個別輝度制御信号Ｂとのそれぞれとして、略１．５×Ｇ（Ｇは、所定のゲイン係数を示す）[V]の電圧信号を生成する。また、例えば、０[V]の色度指令（ベース電流比指令）が入力されると、マイクロコンピュータ７１は、個別輝度制御信号Ａとして略３×Ｇ[V]の電圧信号を、個別輝度制御信号Ｂとして略０×Ｇ[V]の電圧信号を、それぞれ生成する。一方、例えば、３[V]の色度指令（ベース電流比指令）が入力されると、電流バランス回路５３は、個別輝度制御信号Ａとして略０×Ｇ[V]の電圧信号を、個別輝度制御信号Ｂとして略３×Ｇ[V]の電圧信号を、それぞれ生成する。
【０１３０】
なお、マイクロコンピュータ７１は、色度指令（ベース電流比指令）の電圧レベルと、ランプ１２−Ａとランプ１２−Ｂとのベース電流比との関係表（テーブル）を有し、かつ、基準状態であれば、色度指令（ベース電流比指令）から、個別輝度制御信号Ａと個別輝度制御信号Ｂとのそれぞれを直接生成することができる。
【０１３１】
基準状態において、マイクロコンピュータ７１によりこのようにして生成された個別輝度制御信号Ａと個別輝度制御信号Ｂとのそれぞれは、輝度制御信号出力端子５４または輝度制御信号出力端子５５を介して電流指令部２１の外部に出力される。即ち、上述したように、個別輝度制御信号Ａが、ランプ駆動部２２−Ａの制御回路４１−Ａ（図４）に入力されるとともに、個別輝度制御信号Ｂが、ランプ駆動部２２−Ｂの制御回路４１−Ｂ（図４）に入力される。
【０１３２】
ところが、その後、例えば、３［V］（基準状態）とは異なる電圧レベルの輝度指令（総電流指令）が、輝度制御信号入力端子５１を介してマイクロコンピュータ７１に入力された場合、ランプ１２−Ａとランプ１２−Ｂとの電流比がベース電流比のまま（更新されずに）、輝度制御信号Ａと輝度制御信号Ｂが生成されてしまうと、導光板１１からの光の実際の色度が変化してしまうと言う課題、即ち、上述した第１の課題が発生してしまう。
【０１３３】
そこで、この第１の課題を解決するために、マイクロコンピュータ７１は、ベース電流比を基準にして、輝度指令（総電流指令）の現時点の電圧レベル、即ち、総電流の現時点の目標レベルに応じた電流比を設定するのである。
【０１３４】
即ち、第１の課題を解決するために、マイクロコンピュータ７１は、輝度指令（総電流指令）のレベル、即ち、総電流の目標レベルに応じてベース電流比を補正する、と捉えてもよい。
【０１３５】
なお、この場合の補正手法は、特に限定されず、例えば、輝度指令の取り得る電圧レベルを２以上の範囲（電圧範囲）に区分し、各電圧範囲のそれぞれに対応する補正値を予め定め、マイクロコンピュータ７１にテーブルの形態で登録しておき、マイクロコンピュータ７１に、そのテーブルに登録された２以上の補正値（補正値「０」含む）の中から、輝度指令の現時点の電圧レベルが属する電圧範囲に対応する補正値を検索させる手法を適用することもできる。
【０１３６】
或いは、例えば、輝度の目標値（輝度指令のレベル）をパラメータとして入力して補正値を出力する関数を予め生成し、マイクロコンピュータ７１に登録しておき、マイクロコンピュータ７１に、その関数を演算させ、その演算結果を補正値として利用させる手法を適用することもできる。
【０１３７】
また、その後（基準状態において、ベース電流比が設定された以降）、例えば、ランプ１２−Ａとランプ１２−Ｂとが長時間使用され続けて（累計動作時間が増加して）経年劣化が生じた場合、ランプ１２−Ａとランプ１２−Ｂとの電流比がベース電流比のまま（更新されずに）、輝度制御信号Ａと輝度制御信号Ｂが生成されてしまうと、導光板１１からの光の実際の色度が変化してしまうと言う課題、即ち、上述した第２の課題が発生してしまう。
【０１３８】
そこで、この第２の課題を解決するために、マイクロコンピュータ７１は、ベース電流比を基準にして、計時装置１５の現時点の計測値（ランプ１２−Ａとランプ１２−Ｂとの現時点の累計動作時間）に応じた電流比を設定するのである。
【０１３９】
即ち、第２の課題を解決するために、マイクロコンピュータ７１は、ランプ１２−Ａとランプ１２−Ｂとの現時点の累計動作時間（計時装置１５の現時点の計測値）に応じてベース電流比を補正する、と捉えてもよい。
【０１４０】
なお、この場合の補正手法は、特に限定されず、例えば、累計動作時間（計測装置１５の計測値）が取り得る時間を２以上の時間帯に区分し、各時間帯のそれぞれに対応する補正値を予め定め、マイクロコンピュータ７１にテーブルの形態で登録しておき、マイクロコンピュータ７１に、そのテーブルに登録された２以上の補正値（補正値「０」も含む）の中から、計時装置１５の現時点の計測値（現時点の累計動作時間）が属する時間帯に対応する補正値を検索させる手法を適用することもできる。
【０１４１】
具体的には、例えば、所定の時間を閾値として設定し（以下、このような閾値として設定された時間を設定時間と称する）、さらに、累計動作時間が取り得る時間帯として、０時間以上設定時間以下の第１の時間帯と、設定時間以降の第２の時間帯とを設定し、第１の時間帯の場合の補正値は「０」であり、第２の時間帯の場合の補正値は「α（αは任意の正数値）」であることが記述されたテーブルをマイクロコンピュータ７１に予め登録しておく。そして、マイクロコンピュータ７１は、そのテーブルを参照して、累計動作時間が設定時間を超えていない場合には、その補正値として「０」を検索して使用し（ベース電流比を補正せずに、最終的な電流比として設定し）、累計動作時間が設定時間以降となった場合には、補正値として「α」を検索して使用する。即ち、例えば、マイクロコンピュータ７１は、ベース電流比が「ｎ：ｍ（ｎとｍは任意の正数値）」であるとき、「ｎ−α：ｎ＋α」等と補正した電流比を、最終的な電流比として設定する。
【０１４２】
なお、上述した例では、設定時間（閾値）は１つとされたが、勿論２以上とされてもよい。この場合、さらに細かなベース電流比の補正が可能になる。
【０１４３】
さらには、閾値の数を無限大と捉え（閾値を使用せずに）、累計動作時間（計測装置１５の計測値）をパラメータとして入力して補正値を出力する関数を予め生成し、マイクロコンピュータ７１に登録しておき、マイクロコンピュータ７１に、その関数を演算させ、その演算結果を補正値として利用させる手法を適用することもできる。
【０１４４】
また、その後（基準状態において、ベース電流比が設定された以降）、例えば、周囲の温度が２０℃（基準状態）から変化した場合、ランプ１２−Ａとランプ１２−Ｂとの電流比がベース電流比のまま（更新されずに）、輝度制御信号Ａと輝度制御信号Ｂが生成されてしまうと、導光板１１からの光の実際の色度が変化してしまうと言う課題、即ち、上述した第３の課題が発生してしまう。
【０１４５】
そこで、この第３の課題を解決するために、マイクロコンピュータ７１は、ベース電流比を基準にして、温度計１４の現時点の計測値（現時点の周囲の温度）に応じた電流比を設定するのである。
【０１４６】
即ち、第３の課題を解決するために、マイクロコンピュータ７１は、現時点の周囲の温度（温度計１４の現時点の計測値）に応じてベース電流比を補正する、と捉えることもできる。
【０１４７】
なお、この場合の補正手法は、特に限定されず、例えば、温度計１４の計測値が取り得る値を２以上の範囲（温度範囲）に区分し、各温度範囲のそれぞれに対応する補正値を予め定め、マイクロコンピュータ７１にテーブルの形態で登録しておき、マイクロコンピュータ７１に、そのテーブルに登録された２以上の補正値（補正値「０」含む）の中から、温度計１４の現時点の計測値（現時点の周囲温度）が属する温度範囲に対応する補正値を検索させる手法を適用することもできる。
【０１４８】
或いは、例えば、周囲の温度（温度計１４の計測値）をパラメータとして入力して補正値を出力する関数を予め生成し、マイクロコンピュータ７１に登録しておき、マイクロコンピュータ７１に、その関数を演算させ、その演算結果を補正値として利用させる手法を適用することもできる。
【０１４９】
このように、基準状態とは異なる状態となっても、マイクロコンピュータ７１により電流比が適切に補正されるので、その補正された電流比に基づいて生成される個別輝度制御信号Ａと個別輝度制御信号Ｂとのそれぞれも現状の状態に適する電流指令となる。このような個別輝度制御信号Ａと個別輝度制御信号Ｂのそれぞれもまた、輝度制御信号出力端子５４または輝度制御信号出力端子５５を介して電流指令部２１の外部に出力される。即ち、上述したように、個別輝度制御信号Ａが、ランプ駆動部２２−Ａの制御回路４１−Ａ（図４）に入力されるとともに、個別輝度制御信号Ｂが、ランプ駆動部２２−Ｂの制御回路４１−Ｂ（図４）に入力される。その結果、ランプ１２−Ａとランプ１２−Ｂとの実際の電流比も、現時点の状態に適する電流比（即ち、導光板１１からの光の色度をほぼ目標色度に保つことが可能な電流比）となるように適切に制御されるのである。
【０１５０】
以上、図１と図２に示されるバックライト装置１の構成について説明した。そこで、次に、図１と図２に示されるバックライト装置１の動作について説明する
【０１５１】
はじめに、図示せぬ制御部等は、導光板１１からの光の輝度の目標値に基づいて輝度指令（総電流指令）を生成する。即ち、制御部等は、輝度の目標値に対応する電圧レベルの信号を、輝度指令（総電流指令）として生成する。制御部等はまた、導光板１１からの光の目標色度（色度座標の目標値）に基づいて色度指令（ベース電流比指令）を生成する。即ち、制御部等はまた、目標色度に対応する電圧レベルの信号を、色度指令（ベース電流比指令）として生成する。そして、制御部等は、輝度指令（総電流指令）と色度指令（ベース電流比指令）とのそれぞれを電流指令部２１に供給する。
【０１５２】
すると、電流指令部２１は、供給された輝度指令（総電流指令）に基づいてランプ１２−Ａとランプ１２−Ｂとの総電流の目標レベルを設定するとともに、供給された色度指令（ベース電流比指令）に基づいてベース電流比を設定し、総電流の目標レベルとベース電流比とに基づいて個別輝度制御信号Ａと個別輝度制御信号Ｂとを生成する。
【０１５３】
ただし、このとき、例えば、上述した第１の課題の解決が必要な場合、電流指令部２１はさらに、輝度指令（総電流指令）の電圧レベル、即ち、先に設定された総電流の目標レベルに応じてベース電流比を補正し、その結果得られる電流比と、総電流の目標レベルとに基づいて個別輝度制御信号Ａと個別輝度制御信号Ｂとを生成する。
【０１５４】
また、例えば、上述した第２の課題の解決が必要な場合、電流指令部２１はさらに、計時装置１５の計測結果（ランプ１２−Ａとランプ１２−Ｂとの累計動作時間）に応じてベース電流比を補正し、その結果得られる電流比と、総電流の目標レベルとに基づいて個別輝度制御信号Ａと個別輝度制御信号Ｂとを生成する。
【０１５５】
また、例えば、上述した第３の課題の解決が必要な場合、電流指令部２１はさらに、温度計１４の計測結果（ランプ１２−Ａとランプ１２−Ｂとの周囲の温度）に応じてベース電流比を補正し、その結果得られる電流比と、総電流の目標レベルとに基づいて個別輝度制御信号Ａと個別輝度制御信号Ｂとを生成する。
【０１５６】
具体的には、例えば、電流指令部２１は、ランプ１２−Ａとランプ１２−Ｂとの電流比を最終的に（ベース電流比に対して上述した補正等を行った結果）ｐ：ｑ（ｐとｑは任意の整数値）と設定した場合、電圧レベルの比もほぼｐ：ｑとなる、個別輝度制御信号Ａと個別輝度制御信号Ｂとのそれぞれを生成する。
【０１５７】
このようにして生成された個別輝度制御信号Ａはランプ駆動部２２−Ａに供給される。一方、このようにして生成された個別輝度制御信号Ｂはランプ駆動部２２−Ｂに供給される。
【０１５８】
なお、このような電流指令部２１の処理を、以下、電流指令制御処理と称する。この電流指令制御処理の詳細については、図６乃至図９のフローチャートを参照して後述する。
【０１５９】
次に、ランプ駆動部２２−Ａとランプ駆動部２２−Ｂに着目すると、ランプ駆動部２２−Ａは、ランプ１２−Ａを駆動し、供給された個別輝度制御信号Ａに基づいてランプ１２−Ａの電流(レベル)を制御する。同様に、ランプ駆動部２２−Ｂは、ランプ１２−Ｂを駆動し、供給された個別輝度制御信号Ｂに基づいてランプ１２−Ｂの電流(レベル)を制御する。
【０１６０】
このようなランプ駆動部２２−Ａとランプ駆動部２２−Ｂとの相互に独立した電流制御の結果、ランプ１２−Ａとランプ１２−Ｂとの総電流が目標レベル（輝度指令に対応する電流レベル）でほぼ一定に保たれたまま、ランプ１２−Ａとランプ１２−Ｂとの実際の電流比が、電流指令部２１により設定された電流比（設定値）とほぼ一致するようになる。即ち、ランプ１２−Ａとランプ１２−Ｂとのそれぞれは、所定の色度（基準状態においては、予め設定された色度座標の色度、それ以外の状態においては、それからずれた色度座標の色度）の光を、各々制御された電流レベルに対応する輝度（光量）で出射する。
【０１６１】
すると、導光板１１の表面（即ち、LCD２の表面）からは、ランプ１２−Ａの光とランプ１２−Ｂの光とが空間的に混合された光が出射される。このとき、ランプ１２−Ａとランプ１２−Ｂとの電流比は、上述したように、光の実際の色度が色度座標の目標値で保たれるようにその状況に応じて可変制御されている。その結果、導光板１１の表面から出射される光の実際の色度の色度座標が目標値でほぼ一定に保たれる。さらに、ランプ１２−Ａとランプ１２−Ｂとの総電流も目標レベルで保たれるように制御されている（即ち、総電流の目標レベルが変化しない限り、ランプ１２−Ａとランプ１２−Ｂとの総電流はその目標レベルのまま、電流比だけが可変制御されている）ので、導光板１１の表面から出射される光の輝度も目標値でほぼ一定に保たれる。
【０１６２】
次に、図６乃至図９のフローチャートを参照して、電流指令部２１の電流指令制御処理の詳細について説明する。
【０１６３】
図６のフローチャートは、上述した第１の課題を解決するための電流指令制御処理、即ち、ランプ１２−Ａとランプ１２−Ｂとの総電流の大きさ（目標レベルの大きさ）を考慮して電流比を設定することを特徴とする電流指令制御処理（以下、他の電流指令制御処理と区別するために、第１の電流指令制御処理と称する）の例を示している。
【０１６４】
図７のフローチャートは、上述した第２の課題を解決するための電流指令制御処理、即ち、ランプ１２−Ａとランプ１２−Ｂとの累計動作時間（計時装置１５の計測値）を考慮して電流比を設定することを特徴とする電流指令制御処理（以下、他の電流指令制御処理と区別するために、第２の電流指令制御処理と称する）の例を示している
【０１６５】
図８のフローチャートは、上述した第３の課題を解決するための電流指令制御処理、即ち、ランプ１２−Ａとランプ１２−Ｂとの周囲の温度（温度計１４の計測値）を考慮して電流比を設定することを特徴とする電流指令制御処理（以下、他の電流指令制御処理と区別するために、第３の電流指令制御処理と称する）の例を示している。
【０１６６】
図９のフローチャートは、これらの第１の課題乃至第３の課題を同時に解決するための電流指令制御処理、即ち、ランプ１２−Ａとランプ１２−Ｂとに対する、その総電流の大きさ（目標レベルの大きさ）、その累計動作時間（計時装置１５の計測値）、および、その周囲の温度（温度計１４の計測値）の全てを考慮して電流比を設定することを特徴とする電流指令制御処理（以下、他の電流指令制御処理と区別するために、第４の電流指令制御処理と称する）の例を示している。
【０１６７】
以下、第１の電流指令制御処理乃至第４の電流指令制御処理のそれぞれの詳細について、その順番で個別に順次説明していく。
【０１６８】
なお、ここでは、説明の簡略上、第１の電流指令制御処理乃至第４の電流指令制御処理のいずれにおいても、輝度指令の電圧レベルは０[V]よりも大きいとされ、輝度指令の入力が開始された時点（輝度指令の電圧レベルが０[V]から所定のレベルに変化した時点）で、電流指令部２１は、第１の電流指令制御処理乃至第４の電流指令制御処理のうちの対応する処理を開始させる。即ち、ここでは、輝度指令は、ランプ１２−Ａとランプ１２−Ｂとの駆動指令（ランプ駆動指令）としても利用されるとする。換言すると、輝度指令が０[V]であることは、ランプ１２−Ａとランプ１２−Ｂとの駆動停止の指令を示すとする。
【０１６９】
はじめに、図６のフローチャートを参照して、第１の電流指令制御処理について説明する。
【０１７０】
ステップＳ１において、電流指令部２１は、輝度指令（総電流指令）に基づいて、ランプ１２−Ａとランプ１２−Ｂとの総電流の目標レベルを設定する。
【０１７１】
ステップＳ２において、電流指令部２１は、色度指令（ベース電流比指令）と、ステップＳ１の処理で設定した総電流の目標レベルとに基づいて、ランプ１２−Ａとランプ１２−Ｂとの電流比を設定する。即ち、電流指令部２１は、色度指令（ベース電流比指令）に基づいてベース電流比を設定し、現時点の総電流の目標レベルに応じてベース電流比を補正し、その補正結果を最終的な電流比として設定する。
【０１７２】
ステップＳ３において、電流指令部２１は、ステップＳ１の処理で設定した総電流の目標レベルと、ステップＳ２の処理で設定した電流比とに基づいて個別輝度制御信号Ａと個別輝度制御信号Ｂとのそれぞれを生成し、出力する。
【０１７３】
ステップＳ４において、電流指令部２１は、輝度指令（総電流指令）が変化したか否かを判定する。
【０１７４】
ステップＳ４において、輝度指令が変化していないと判定された場合、処理はステップＳ３に戻され、それ以降の処理が繰り返される。即ち、第１の課題乃至第３の課題のうちの第１の課題の解決のみを目的とする場合、輝度指令が変化しない限り（総電流の目標レベルが変化しない限り）、同一の電圧レベルの個別輝度制御信号Ａと個別輝度制御信号Ｂとのそれぞれが出力され続ける。即ち、ランプ１２−Ａとランプ１２−Ｂとの電流比の設定はそのまま保持される。その結果、ランプ１２−Ａとランプ１２−Ｂとの実際の電流比もほぼ一定に保たれる。
【０１７５】
これに対して、ステップＳ４において、輝度指令が変化したと判定した場合、電流指令部２１は、ステップＳ５において、輝度指令（ランプ駆動指令）が停止したか否かを判定する。
【０１７６】
即ち、輝度指令の電圧レベルが第１のレベル（ここでは、例えば、上述したように、0[V]よりも大きい所定の範囲内のレベル）から第２のレベル（０[V]と第１のレベルは除く、先の範囲内のレベル）に変化した場合、ステップＳ４において、輝度指令が変化したと判定され、ステップＳ５において、輝度指令（ランプ駆動指令）が停止していないと判定され、処理はステップＳ１に戻され、それ以降の処理が繰り返される。即ち、これまで、第１のレベルに対応する第１の電流比が設定されていたが、今度は、第２のレベルに対応する第２の電流比が設定され（設定の更新が行われ）、その第２の電流比（設定値）と第２のレベルとに基づいて個別輝度制御信号Ａと個別輝度制御信号Ｂとのそれぞれが生成され（更新され）、出力される。その結果、ランプ１２−Ａとランプ１２−Ｂとの実際の電流比も略第１の電流比（設定値）から略第２の電流比（設定値）に変化する。
【０１７７】
その後、輝度指令の電圧レベルが第２のレベルから０[V]に変化した場合、ステップＳ４において、輝度指令が変化したと判定され、ステップＳ５において、輝度指令（ランプ駆動指令）が停止したと判定され、第１の電流指令制御処理が終了となる。
【０１７８】
次に、図７のフローチャートを参照して、第２の電流指令制御処理について説明する。
【０１７９】
なお、図７は、輝度指令は一定とされる（輝度の目標値は一定とされる）場合のフローチャートである。
【０１８０】
ステップＳ２１において、電流指令部２１（或いは、輝度指令等を電流指令部２１に供給する図示せぬ制御部等）は、計時装置１５の計時動作を開始させる。
【０１８１】
即ち、ステップＳ２１において、計時装置１５は、ランプ１２−Ａとランプ１２−Ｂとの動作時間の計時を開始し、それ以降、計時動作の終了が指示されるまで（後述するステップＳ２８の処理まで）、計時動作を継続し、計時された動作時間と、これまでの（その動作時間が計時される直前までの）累計動作時間との加算時間を、現時点の累計動作時間として電流指令部２１に出力する。このとき、上述したように、計時装置１５は、複数のランプの総電流の目標レベルまたは実レベルをさらに取得し、取得された総電流の目標レベルまたは実レベルに応じて、計時された動作時間の重み付けを行い、重み付けされた動作時間とこれまでの累計動作時間との加算時間を、現時点の累計動作時間として電流指令部２１に出力することもできる。
【０１８２】
次に、ステップＳ２２において、電流指令部２１は、輝度指令（総電流指令）に基づいて、ランプ１２−Ａとランプ１２−Ｂとの総電流の目標レベルを設定する。
【０１８３】
ステップＳ２３において、電流指令部２１は、色度指令（ベース電流比指令）に基づいて、ランプ１２−Ａとランプ１２−Ｂとの電流比を設定する。即ち、電流指令部２１は、色度指令（ベース電流比指令）に基づいてベース電流比を設定する。
【０１８４】
ステップＳ２４において、電流指令部２１は、累計動作時間が設定時間を超えたか否かを判定する。
【０１８５】
計時装置１５の計測値（累計動作時間）が設定時間を超えている場合（ステップＳ２４において、累計動作時間が設定時間を超えたと判定した場合）、電流指令部２１は、ステップＳ２５において、電流比を再設定する。即ち、電流指令部２１は、ベース電流比を累計動作時間に応じて補正し、その補正結果を最終的な電流比として設定する。
【０１８６】
そして、ステップＳ２６において、電流指令部２１は、ステップＳ２２の処理で設定した総電流の目標レベルと、ステップＳ２５の処理で再設定した電流比とに基づいて個別輝度制御信号Ａと個別輝度制御信号Ｂとのそれぞれを生成し、出力する。
【０１８７】
これに対して、計時装置１５の計測値（累計動作時間）が設定時間を超えていない場合（ステップＳ２４において、累計動作時間が設定時間を超えていないと判定した場合）、電流指令部２１は、ステップＳ２５の処理を実行せずに（即ち、ベース電流比を最終的な電流比として設定し）、ステップＳ２６において、ステップＳ２２の処理で設定した総電流の目標レベルと、ステップＳ２３の処理で設定した電流比（ベース電流比）とに基づいて個別輝度制御信号Ａと個別輝度制御信号Ｂとのそれぞれを生成し、出力する。
【０１８８】
このように、第１の課題乃至第３の課題のうちの第２の課題の解決のみを目的とする場合、累計動作時間が設定時間を超えない限り、ベース電流比（設定値）に対応する、同一の電圧レベルの個別輝度制御信号Ａと個別輝度制御信号Ｂとのそれぞれが出力され続ける。その結果、ランプ１２−Ａとランプ１２−Ｂとの実際の電流比も、ベース電流比（設定値）でほぼ一定に保たれる。
【０１８９】
そして、累計動作時間が設定時間を超えると、電流比がベース電流比から他の比率に更新され、更新されたその電流比（設定値）に対応する、同一の電圧レベルの個別輝度制御信号Ａと個別輝度制御信号Ｂとのそれぞれが出力され続ける。その結果、ランプ１２−Ａとランプ１２−Ｂとの実際の電流比も、更新された電流比（設定値）でほぼ一定に保たれる。
【０１９０】
なお、設定時間（閾値）は、図７のフローチャートの例では１つとされているが、上述したように、２以上とされてもよい。即ち、例えば、ランプの劣化の度合を複数段階設定し、各段階のそれぞれの区切りとなる時間を設定時間とすることができる。
【０１９１】
具体的には、例えば、第１段階乃至第３段階まで設定され、第１段階から第２段階に移行する累積動作時間が3000時間とされ、第２段階から第３段階に移行する累積動作時間が10000時間とされた場合、3000時間を第１の設定時間と、10000時間を第２の設定時間とすることができる。この場合、例えば、第１段階乃至第３段階のそれぞれに対して、第１の補正値乃至第３の補正値のそれぞれを予め対応付けておき（そのようなテーブルを作成しておき）、現在の累計動作時間が、第１の設定時間未満の場合には第１の補正値により、第１の設定時間以上第２の設定時間未満の場合には第２の補正値により、第２の設定時間以上の場合には第３の補正値により、電流比の再設定処理（ベース電流比の補正処理）を電流指令部２１が実行すればよい。
【０１９２】
或いは、上述したように、閾値の数を無限大とし（閾値を設けずに）、累計動作時間をそのままパラメータとして入力して補正値を出力する関数を利用する、電流比の再設定処理（ベース電流比の補正処理）を電流指令部２１が実行してもよい。
【０１９３】
このようなステップ２６の処理を終了すると（個別輝度信号Ａと個別輝度信号Ｂを出力すると）、電流指令部２１は、ステップＳ２７において、ランプ駆動指令（いまの場合、輝度指令）が停止したか否かを判定する。
【０１９４】
ステップＳ２７において、ランプ駆動指令が停止していないと判定された場合、処理はステップＳ２４に戻され、それ以降の処理が繰り返される。
【０１９５】
これに対して、ステップＳ２７において、ランプ駆動指令が停止したと判定した場合、電流指令部２１（或いは、輝度指令等を電流指令部２１に供給する図示せぬ制御部等）は、ステップＳ２８において、計時装置１５の計時動作を終了させる。これにより、第２の電流指令制御処理は終了となる。
【０１９６】
次に、図８のフローチャートを参照して、第３の電流指令制御処理について説明する。
【０１９７】
なお、図８は、輝度指令は一定とされる（輝度の目標値は一定とされる）場合のフローチャートである。
【０１９８】
ステップＳ４１において、電流指令部２１（或いは、輝度指令等を電流指令部２１に供給する図示せぬ制御部等）は、温度計１４の温度計測を開始させる。
【０１９９】
ステップＳ４２において、電流指令部２１は、輝度指令（総電流指令）に基づいて、ランプ１２−Ａとランプ１２−Ｂとの総電流の目標レベルを設定する。
【０２００】
ステップＳ４３において、電流指令部２１は、色度指令（ベース電流比指令）、および、ランプ１２−Ａとランプ１２−Ｂとの周囲の温度（温度計１４の計測値）に基づいて、ランプ１２−Ａとランプ１２−Ｂとの電流比を設定する。即ち、電流指令部２１は、色度指令（ベース電流比指令）に基づいてベース電流比を設定し、ランプ１２−Ａとランプ１２−Ｂとの周囲の温度（温度計１４の計測値）に応じてベース電流比を補正し、その補正結果を最終的な電流比として設定する。
【０２０１】
ステップＳ４４において、電流指令部２１は、ステップＳ４２の処理で設定した総電流の目標レベルと、ステップＳ４３の処理で設定した電流比とに基づいて個別輝度制御信号Ａと個別輝度制御信号Ｂとのそれぞれを生成し、出力する。
【０２０２】
ステップＳ４５において、電流指令部２１は、ランプ駆動指令（いまの場合、輝度指令）が停止したか否かを判定する。
【０２０３】
ステップＳ４５において、ランプ駆動指令が停止していないと判定された場合、処理はステップＳ４３に戻され、それ以降の処理が繰り返される。
【０２０４】
即ち、第１の課題乃至第３の課題のうちの第３の課題の解決のみを目的とする場合、ランプ１２−Ａとランプ１２−Ｂとの周囲の温度（温度計１４の計測結果）が変化しない限り、同一の電圧レベルの個別輝度制御信号Ａと個別輝度制御信号Ｂとのそれぞれが出力され続ける。即ち、ランプ１２−Ａとランプ１２−Ｂとの電流比の設定はそのまま保持される。その結果、ランプ１２−Ａとランプ１２−Ｂとの実際の電流比もほぼ一定に保たれる。
【０２０５】
これに対して、ランプ１２−Ａとランプ１２−Ｂとの周囲の温度が変化すると、ランプ１２−Ａとランプ１２−Ｂとの電流比（設定値）が更新され、更新されたその電流比（設定値）に対応する、同一の電圧レベルの個別輝度制御信号Ａと個別輝度制御信号Ｂとのそれぞれが出力され続ける（ただし、周囲の温度が再度変化するまで）。その結果、ランプ１２−Ａとランプ１２−Ｂとの実際の電流比も、更新された電流比（設定値）でほぼ一定に保たれる。
【０２０６】
その後、ランプ駆動停指令が停止されると（ステップＳ４５において、ランプ駆動指令が停止したと判定すると）、電流指令部２１（或いは、輝度指令等を電流指令部２１に供給する図示せぬ制御部等）は、温度計１４の温度計測を終了させる。これにより、第３の電流指令制御処理は終了となる。
【０２０７】
次に、図９のフローチャートを参照して、第４の電流指令制御処理について説明する。
【０２０８】
ステップＳ６１において、電流指令部２１（或いは、輝度指令等を電流指令部２１に供給する図示せぬ制御部等）は、計時装置１５の計時動作と、温度計１４の温度計測を開始させる。
【０２０９】
ステップＳ６２において、電流指令部２１は、輝度指令（総電流指令）に基づいて、ランプ１２−Ａとランプ１２−Ｂとの総電流の目標レベルを設定する。
【０２１０】
ステップＳ６３において、電流指令部２１は、色度指令（ベース電流比指令）、ステップＳ６２の処理で設定した総電流の目標レベル、および、ランプ１２−Ａとランプ１２−Ｂとの周囲の温度（温度計１４の計測値）に基づいて、ランプ１２−Ａとランプ１２−Ｂとの電流比を設定する。即ち、電流指令部２１は、色度指令（ベース電流比指令）に基づいてベース電流比を設定し、そのベース電流比に対して、総電流の目標レベルに応じた第１の補正と、周囲の温度に応じた第２の補正とのそれぞれを施し、それらの補正結果（第１の補正と第２の補正が施されたベース電流比）を電流比として一旦設定する。
【０２１１】
ステップＳ６４において、電流指令部２１は、累計動作時間が設定時間を超えたか否かを判定する。
【０２１２】
計時装置１５の計測値（累計動作時間）が設定時間を超えている場合（ステップＳ６４において、累計動作時間が設定時間を超えたと判定した場合）、電流指令部２１は、ステップＳ６５において、電流比を再設定する。即ち、電流指令部２１は、第１の補正と第２の補正が施されたベース電流比に対してさらに、累計動作時間に応じた第３の補正を施し、その補正結果（第１の補正乃至第３の補正が施されたベース電流比）を最終的な電流比として設定する。
【０２１３】
そして、ステップＳ６６において、電流指令部２１は、ステップＳ６２の処理で設定した総電流の目標レベルと、ステップＳ６５の処理で再設定した電流比（第１の補正乃至第３の補正が施されたベース電流比）とに基づいて個別輝度制御信号Ａと個別輝度制御信号Ｂとのそれぞれを生成し、出力する。
【０２１４】
これに対して、計時装置１５の計測値（累計動作時間）が設定時間を超えていない場合（ステップＳ６４において、累計動作時間が設定時間を超えていないと判定した場合）、電流指令部２１は、ステップＳ６５の処理を実行せずに（即ち、第１の補正と第２の補正が施されたベース電流比を最終的な電流比として設定し）、ステップＳ６６において、ステップＳ６２の処理で設定した総電流の目標レベルと、ステップＳ６３の処理で設定した電流比（第１の補正と第２の補正が施されたベース電流比）とに基づいて個別輝度制御信号Ａと個別輝度制御信号Ｂとのそれぞれを生成し、出力する。
【０２１５】
ステップＳ６７において、電流指令部２１は、輝度指令（総電流指令）が変化したか否かを判定する。
【０２１６】
ステップＳ６７において、輝度指令が変化していないと判定された場合、処理はステップＳ６３に戻され、それ以降の処理が繰り返される。即ち、輝度指令が変化しない限り（総電流の目標レベルが変化しない限り）、総電流の目標レベルに対応する第１の補正として同一の補正が施された電流比が設定される。ただし、温度が変化した場合（温度計１４の計測値が変化した場合）、周囲の温度に対応する第２の補正として、これまでとは異なった補正が施された電流比が設定される。同様に、累計時間（計時装置１５の計測値）が設定時間を超えた場合、累計時間に対応する第３の補正として、これまでとは異なった補正が施された電流比が設定される。
【０２１７】
これらに対して、ステップＳ６７において、輝度指令が変化したと判定した場合、電流指令部２１は、ステップＳ６８において、輝度指令（ランプ駆動指令）が停止したか否かを判定する。
【０２１８】
ステップＳ６８において、輝度指令が停止していないと判定された場合、即ち、輝度指令の電圧レベルが第１のレベルから第２のレベル（０レベルと第１のレベル以外のレベル）に変化した場合、処理はステップＳ６２に戻され、それ以降の処理が繰り返される。即ち、輝度指令が変化すると、総電流の目標レベルに対応する第１の補正として、これまでとは異なった補正が施された電流比が設定される。なお、この場合も、温度が変化したとき（温度計１４の計測値が変化したとき）、周囲の温度に対応する第２の補正として、これまでとは異なった補正がさらに施された電流比が設定される。同様に、累計時間（計時装置１５の計測値）が設定時間を超えた場合、累計時間に対応する第３の補正として、これまでとは異なった補正がさらに施された電流比が設定される。
【０２１９】
その後、輝度指令が停止されると（０[V]となると）、ステップＳ６８において、輝度指令（ランプ駆動指令）が停止したと判定され、電流指令部２１（或いは、輝度指令等を電流指令部２１に供給する図示せぬ制御部等）は、計時装置１５の計時動作と、温度計１４の温度計測を終了させる。これにより、第４の電流指令制御処理は終了となる。
【０２２０】
このように、電流指令部２１が、例えば、第４の電流指令制御処理（図９のフローチャートに従った電流指令制御処理）を実行することで、第１の課題乃至第３の課題を同時に解決することができる。
【０２２１】
なお、第１の課題と第２の課題だけを解決したい場合、即ち、温度変化に対応する第３の課題の解決が不要な場合、ステップＳ６３の処理を「色度指令、および、総電流の目標レベルに基づいて電流比を設定する」という処理に単に訂正すればよい。
【０２２２】
また、第１の課題と第３の課題だけを解決したい場合、即ち、累計動作時間（経年劣化）に対応する第２の課題の解決が不要な場合、ステップＳ６４とステップ６５の処理を単に省略すればよい。
【０２２３】
また、第２の課題と第３の課題だけを解決したい場合、即ち、総電流の目標レベルに対応する第１の課題の解決が不要な場合、単に、ステップＳ６３の処理を「色度指令、および、周囲の温度に基づいて電流比を設定する」という処理に訂正するとともに、ステップＳ６７の処理を省略すればよい。
【０２２４】
ところで、バックライト装置１のランプ１２−Ａとランプ１２−Ｂとのそれぞれの配置位置は、図１と図２の場所に限定されず、ランプ１２−Ａからの光とランプ１２−Ｂからの光とが空間的に混合された光が、導光板１１からLCD２の所定の方向に出射可能な場所であれば何れの場所でもよい。例えば、図１０（断面図）や図１１（LCD２の上面図）に示されるように、導光板１１の表面と垂直な４つ面のうちの面１１−２側に、その面１１−２と略平行に（面１１−２に沿って）ランプ１２−Ａを配置させ、その面１１−２と対向する面１１−１側に、その面１１−１と略平行に（面１１−１に沿って）ランプ１２−Ｂを配置させてもよい。
【０２２５】
また、バックライト装置１のランプ駆動装置として、上述した例では、２出力のインバータユニット１３（図４）が適用されたが、このインバータユニット１３と同様の機能を有する装置であれば、その構成は特に限定されない。即ち、バックライト装置１のランプ駆動装置として、インバータユニット以外の駆動装置を適用してもよい。
【０２２６】
或いは、例えば、バックライト装置１のランプ駆動装置として、図１２に示されるようなインバータユニットを適用してもよい。
【０２２７】
図１２のインバータユニットにおいて、電流指令部２１、トランス４２−Ａ、検出抵抗４３−Ａ、トランス４２−Ｂ、検出抵抗４３−Ｂ、および、入力電源４５のそれぞれは、図４の対応する回路等と基本的に同様の機能と構成を有している。
【０２２８】
ただし、図４のインバータユニット１３においては、２つの制御回路４１−Ａと制御回路４１−Ｂが設けられていたが、図１２のインバータユニットにおいては、１つの制御回路８１が設けられている。また、図４のインバータユニット１３においては、ランプ１２−Ａの実電流（それに対応する電圧信号）を制御回路４１−Ａにフィードバックする帰還回路４４−Ａと、ランプ１２−Ｂの実電流（それに対応する電圧信号）を制御回路４１−Ｂにフィードバックする帰還回路４４−Ｂとが設けられていたが、図１２のインバータユニットにおいては、ランプ１２−Ａの実電流とランプ１２−Ｂの実電流との総和、即ち、総電流の実レベル（それに対応する電圧信号）を制御回路８１にフィードバックする総和帰還回路８２が設けられている。
【０２２９】
即ち、制御回路８１は、図示せぬ制御部等より供給される輝度制御信号（ランプ１２−Ａとランプ１２−Ｂとの総電流の指令値）と、総和帰還回路８２よりフィードバックされた信号（ランプ１２−Ａとランプ１２−Ｂとの総電流の実績値）を用いて、ランプ１２−Ａとランプ１２−Ｂとの総電流をフィードバック制御しながら、電流指令部２１から供給された個別輝度制御信号Ａと個別輝度制御信号Ｂとのそれぞれに基づいて、ランプ１２−Ａの電流とランプ１２−Ｂの電流とのそれぞれを個別にオープンループ制御を行う。
【０２３０】
その結果、ランプ１２−Ａとランプ１２−Ｂとの総電流のクローズド制御（フィードバック制御）により、導光板１１から出射される光（LCD２から出射される光）の輝度が適切に制御されるとともに、ランプ１２−Ａとランプ１２−Ｂとの電流比の制御により、導光板１１から出射される光（LCD２から出射される光）の色度が適切に制御される。即ち、図１２のインバータユニットは、導光板１１から出射される光（LCD２から出射される光）の輝度と色度との制御を同時かつ適切に実行できる効果を奏することが可能になる。
【０２３１】
また、総和帰還回路８２の出力値（ランプ１２−Ａとランプ１２−Ｂとの総電流の実レベル）は計時装置１５にも供給されるので、計時装置１５側から見ると、ランプ１２−Ａとランプ１２−Ｂとの総電流の実レベルに応じた累計動作時間の重み付け演算を行う場合、ランプ１２−Ａとランプ１２−Ｂとの総電流の実レベルの演算が不要となる効果を奏することが可能になる。
【０２３２】
或いは、例えば、図１３に示されるように、バックライト装置１のランプ駆動装置として、電流指令装置９１、１出力のランプ駆動装置（インバータユニット）９２−Ａ、および、１出力のランプ駆動装置（インバータユニット）９２−Ｂからなるシステムを適用してもよい。
【０２３３】
なお、図１３の電流指令装置９１は、図４の電流指令部２１と基本的に同様な機能と構成を有しているとする。即ち、図１３の電流指令装置９１は、上述した図５に示されるように構成することができる。従って、ここでは、図１３の電流指令装置９１の詳細な説明については省略する。
【０２３４】
また、図１３のランプ駆動装置（インバータユニット）９２−Ａとランプ駆動装置（インバータユニット）９２−Ｂとのそれぞれは、図４のランプ駆動部２２−Ａとランプ駆動部２２−Ｂとのそれぞれと基本的に同様な機能と構成を有しているとする。従って、ここでは、図１３のランプ駆動装置（インバータユニット）９２−Ａとランプ駆動装置（インバータユニット）９２−Ｂとのそれぞれの詳細な説明については省略する。
【０２３５】
また、ランプ１２−Ａの配置位置は、当然ながら図１３の例に限定されず、図１と図２に示されるように、ランプ１２−Ｂと同一側に配置させてもよい。
【０２３６】
ところで、上述したバックライト装置１においては、２本のランプ１２−Ａとランプ１２−Ｂが搭載されていたが、ランプの本数は２本以上であれば特に限定されない。
【０２３７】
例えば、図１４の断面図に示されるバックライト装置１０１のように、４本のランプ１２−Ａ乃至ランプ１２−Ｄのそれぞれを搭載することも可能である。
【０２３８】
この場合、４本のランプ１２−Ａ乃至ランプ１２−Ｄの配置位置は特に限定されず、例えば、図示はしないが、図１に対応する配置位置でもよい。即ち、４本のランプ１２−Ａ乃至ランプ１２−Ｄの全てを、導光板１１の面１１−１側に、その面１１−１と略平行に（面１１−１に沿って）配置させてもよい。或いは、図１４に示されるように、４本のランプ１２−Ａ乃至ランプ１２−Ｄを、２本のランプ１２−Ａとランプ１２−Ｂとからなる第１の組と、２本のランプ１２−Ｃとランプ１２−Ｄとからなる第２の組に分割し、第１の組に属するランプの全てを、導光板１１の面１１−２側に、その面１１−２と略平行に（面１１−２に沿って）配置させるとともに、第２の組に属するランプの全てを、面１１−２と対向する面１１−１側に、その面１１−１と略平行に（面１１−１に沿って）配置させてもよい。或いは、図１４において、ランプ１２−Ａとランプ１２−Ｃとを第１の組と捉え、ランプ１２−Ｂとランプ１２−Ｄを第２の組と捉えてもよい。
【０２３９】
ただし、このように、４本のランプ１２−Ａ乃至ランプ１２−Ｄが使用される場合、図１５に示されるように、４出力のインバータユニット１１１（或いは、図示はしないが、図１３に対応する形態、即ち、４つのランプ駆動装置と指令装置とからなるシステム）が必要とされる。
【０２４０】
このインバータユニット１１１には、電流指令部１２１と、４つのランプ駆動部１２２−Ａ乃至ランプ駆動部１２２−Ｄが設けられている。
【０２４１】
電流指令部１２１は、導光板１１（図１４）から出射される光の色度の色度座標の目標値の他、必要に応じて、４つのランプ１２−Ａ乃至ランプ１２−Ｄに対する、その総電流の目標レベル、その累計動作時間（計時装置１５の計測値）、或いは、その周囲の温度（温度計１４の計測値）等の現時点の状況を考慮して、４つのランプ駆動部１２２−Ａ乃至ランプ駆動部１２２−Ｄのそれぞれの電流比を設定し、その電流比に基づいて４つの個別輝度制御信号Ａ乃至個別輝度制御信号Ｄを生成する。そして、電流指令部１２１は、個別輝度制御信号Ａ乃至個別輝度制御信号Ｄのそれぞれを、ランプ駆動部１２２−Ａ乃至ランプ駆動部１２２−Ｄのそれぞれに供給する。
【０２４２】
なお、ランプ駆動部１２２−Ａ乃至ランプ駆動部１２２−Ｄのそれぞれの電流比の設定手法は特に限定されない。例えば、先に、第１の組内のランプ１２−Ａとランプ１２−Ｂとの電流比と、第２の組内のランプ１２−Ｃとランプ１２−Ｄとの電流比を調整した後、第１の組と第２の組との電流比を調整することもできる。或いは、上述したように、組の考え方を変えることもできるので、即ち、図１４において、ランプ１２−Ａとランプ１２−Ｃとを第１の組と捉え、ランプ１２−Ｂとランプ１２−Ｄを第２の組と捉えることもできるので、先に、第１の組内のランプ１２−Ａとランプ１２−Ｃとの電流比と、第２の組内のランプ１２−Ｂとランプ１２−Ｄとの電流比を調整した後、第１の組と第２の組との電流比を調整することもできる。
【０２４３】
なお、これらの場合において、先に調整される各組の内部の電流比を１：１に設定すれば、即ち、第１の組内のランプ１２−Ａとランプ１２−Ｂとの電流を同一のレベルとなるように設定し、かつ、第２の組内のランプ１２−Ｃとランプ１２−Ｄとの電流を同一のレベルとなるように設定すれば、電流指令部１２１は、その後の組同士の電流比の設定を容易に行うことが可能となる。その結果、電流指令部１２１を簡素な構成で実現することも可能になる。
【０２４４】
この場合、ランプ駆動部１２２−Ａ乃至ランプ駆動部１２２−Ｄのそれぞれは、第１の組と第２の組毎に、同一の組に属するランプの全ての電流をほぼ同一のレベルで安定させる制御を実行することになる。
【０２４５】
ところで、４本のランプ１２−Ａ乃至ランプ１２−Ｄが発する光の色度は特に限定されない。
【０２４６】
即ち、第１の組に属するランプとして、第１の色度座標のランプを適用し、第２の組に属するランプとして、第２の色度座標のランプを適用してもよい。この場合、上述した図３の色度図に示されるように、第１の組に属するランプとして、黒体曲線３３上の第１の色度（図３の例では、色度（色温度）３５または色度（色温度）３６）で発光するように製作されたランプを適用し、第２の組に属するランプとして、黒体曲線３３上の第１の色度とは異なる第２の色度（図３の例では、色度（色温度）３６または色度（色温度）３５）で発光するように製作されたランプを適用することができる。
【０２４７】
或いは、４本のランプ１２−Ａ乃至ランプ１２−Ｄとして、色度座標が全て異なるランプを適用してもよい。この場合、図１６の色度図（図３と同様の色度図）に示されるように、４本のランプ１２−Ａ乃至ランプ１２−Ｄのそれぞれとして、黒体曲線３３を包含する所定の四角形状の領域１６１の頂点に対応する４つの色度（即ち、色度（点）１５１−Ａ乃至色度（点）１５１−Ｄ）のうちのいずれかで発光するようにそれぞれ製作されている、４本のランプのそれぞれを適用することできる。
【０２４８】
なお、図示はしないが、色度１５１−Ａで発光するように製作されたＫ（Ｋは任意の整数値）本のランプが第１の組とされ、色度１５１−Ｂで発光するように製作されたＫ本のランプが第２の組とされ、色度１５１−Ｃで発光するように製作されたＫ本のランプが第３の組とされ、かつ、色度１５１−Ｄで発光するように製作されたＫ本のランプが第４の組とされた、４×Ｋ本のランプがバックライト装置に搭載されてもよい。
【０２４９】
さらに、図示はしないが、黒体曲線３３を包含する所定のＮ（Ｎは、３以上の任意の整数値）角形状の領域のＮ個の頂点に対応するＮ個の色度のうちのいずれかで発光するようにそれぞれ製作されている、Ｎ本のランプ（或いは、Ｎ組のランプ群）のそれぞれを適用することもできる。
【０２５０】
このように、Ｎ個の色度のそれぞれが設定されたＮ本のランプ（或いは、Ｎ組のランプ群）を適用することで（上述した例では、４個の色度のそれぞれが設定された４本のランプ１２−Ａ乃至ランプ１２−Ｄ（或いは、４組のランプ群）を適用することで）、導光板１１から出射される光（LCD２から出射される光）の色度の調整の自由度を、２つの色度のそれぞれが設定された２本のランプ（或いは２組のランプ群）を適用した場合のそれと比べて格段に増加させることが可能になる。即ち、２本のランプ（或いは２組のランプ群）を適用した場合には、それらのランプに設定された２つの色度で結ばれる直線上でのみしか、導光板１１から出射される光（LCD２から出射される光）の色度の調整を行えなかった。これに対して、Ｎ本のランプ（或いはＮ組のランプ群）を適用した場合には、それらのランプに設定されたＮ個の色度を頂点とするＮ角形状の領域内で、導光板１１から出射される光（LCD２から出射される光）の色度を調整することが可能となる。
【０２５１】
ところで、上述した一連の処理は、ハードウエアにより実行させることもできるが、ソフトウエアにより実行させることができる。
【０２５２】
一連の処理をソフトウエアにより実行させる場合には、そのソフトウエアを構成するプログラムが、専用のハードウエアに組み込まれているコンピュータ（例えば、上述した図５のマイクロコンピュータ７１）、または、各種のプログラムをインストールすることで、各種の機能を実行することが可能な、例えば図１７に示される汎用のパーソナルコンピュータなどに、ネットワークや記録媒体からインストールされる。
【０２５３】
なお、図１７において、CPU２０１は、ROM２０２に記録されているプログラム、または記憶部２０８からRAM２０３にロードされたプログラムに従って各種の処理を実行する。RAM２０３にはまた、CPU２０１が各種の処理を実行する上において必要なデータなども適宜記憶される。
【０２５４】
CPU２０１、ROM２０２、およびRAM２０３は、バス２０４を介して相互に接続されている。このバス２０４にはまた、入出力インタフェース２０５も接続されている。
【０２５５】
入出力インタフェース２０５には、キーボード、マウスなどよりなる入力部２０６、ディスプレイなどよりなる出力部２０７、記憶部２０８、および、モデム、ターミナルアダプタなどより構成される通信部２０９が接続されている。
【０２５６】
なお、この場合、出力部２０７は、例えば、上述した図１に示されるような表示装置（バックライト装置１とLCD２とを少なくとも含む）として構成することができる。即ち、この場合、出力部２０７に対する上述した一連の処理は、図５のマイクロコンピュータ７１ではなく、CPU２０１により実行されることになる。
【０２５７】
入出力インタフェース２０５にはまた、必要に応じてドライブ２１０が接続され、磁気ディスク、光ディスク、光磁気ディスク、或いは半導体メモリなどよりなるリムーバブル記録媒体２１１が適宜装着され、それらから読み出されたコンピュータプログラムが、必要に応じて記憶部２０８にインストールされる。
【０２５８】
ところで、このようなプログラムを含む記録媒体は、図５や図１７に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブル記録媒体（パッケージメディア）２１１により構成されるだけでなく、装置本体に予め組み込まれた状態でユーザに提供される、プログラムが記録されている図５のマイクロコンピュータ７１の図示せぬROMまたは図１７のROM２０２や、記憶部２０８に含まれるハードディスクなどで構成される。
【０２５９】
なお、本明細書において、システムとは、複数の装置や処理部により構成される装置全体を表すものである。
【０２６０】
また、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【図面の簡単な説明】
【０２６１】
【図１】本実施の形態の照明装置（バックライト装置）であって、２本のランプが搭載されたバックライト装置と、それを適用した本実施の形態の表示装置（液晶表示装置）との構成例を示す断面図である。
【図２】図１のバックライト装置とそれを適用した液晶表示装置の構成例を示すブロック図である。
【図３】図１のバックライト装置の２本のランプに設定された色度の例を説明する色度図である。
【図４】図１のバックライト装置のうちのインバータユニットの詳細な構成例を示すブロック図である。
【図５】図４のインバータユニットのうちの電流指令部の構成例を示すブロック図である。
【図６】図５の電流指令部の電流指令制御処理の第１の例を説明するフローチャートである。
【図７】図５の電流指令部の電流指令制御処理の第２の例を説明するフローチャートである。
【図８】図５の電流指令部の電流指令制御処理の第３の例を説明するフローチャートである。
【図９】図５の電流指令部の電流指令制御処理の第４の例を説明するフローチャートである。
【図１０】図１のバックライト装置であって、ランプの配置位置を図１の状態と異ならせた場合のバックライト装置の断面図である。
【図１１】図１のバックライト装置であって、ランプの配置位置が図８に示される状態の場合のバックライト装置の構成例を示すブロック図である。
【図１２】図１のバックライト装置のうちのインバータユニットの他の構成例（図４とは異なる構成例）を示すブロック図である。
【図１３】図１のバックライト装置のうちのインバータユニットの代わりに設けられるランプ駆動システムを示すブロック図である。
【図１４】本実施の形態の照明装置（バックライト装置）であって、４本のランプが搭載されたバックライト装置の構成例を示す断面図である。
【図１５】図１２のバックライト装置の構成例を示すブロック図である。
【図１６】図１２のバックライト装置の４本のランプに設定された色度の例を説明する色度図である。
【図１７】本実施の他の形態の照明装置または表示装置の構成例を示すブロック図である。
【符号の説明】
【０２６２】
１  バックライト装置，  ２  ＬＣＤ，  １１  導光板，  １１−１，１１−２  導光板の面，  １２−Ａ乃至１２−Ｄ  ランプ，  １３  インバータユニット，  １４  温度計，  １５  計時装置，  ２１  電流指令部，  ２２−Ａ，２２−Ｂ  ランプ駆動部，  ３３  黒体曲線，  ３４，３５  色度，  ７１  マイクロコンピュータ，  ９１  電流指令装置，  ９２−Ａ，９２−Ｂ  ランプ駆動装置（インバータユニット），  １１１  インバータユニット，  １２１  電流指令部，  １２２−Ａ乃至１２２−Ｄ  ランプ駆動部，  １５１−Ａ乃至１５１−Ｄ  色度，  ２０１  CPU，  ２０２  ROM，  ２０７  出力部，  ２１１  リムーバブル記録媒体，  Ａ，Ｂ  個別輝度制御信号
【図１】
2005166583.tif 000003
【図２】
2005166583.tif 000004
【図３】
2005166583.tif 000005
【図４】
2005166583.tif 000006
【図５】
2005166583.tif 000007
【図６】
2005166583.tif 000008
【図７】
2005166583.tif 000009
【図８】
2005166583.tif 000010
【図９】
2005166583.tif 000011
【図１０】
2005166583.tif 000012
【図１１】
2005166583.tif 000013
【図１２】
2005166583.tif 000014
【図１３】
2005166583.tif 000015
【図１４】
2005166583.tif 000016
【図１５】
2005166583.tif 000017
【図１６】
2005166583.tif 000018
【図１７】
2005166583.tif 000019